(57)【特許請求の範囲】
【請求項１】
所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、
前記遊技制御手段から送信される発射制御信号を受信して遊技媒体を発射するために、遊技媒体を発射位置に送るための送り装置と、遊技媒体を打撃するための打撃装置とを含む発射装置を制御する受信側制御手段と、
前記送り装置から前記発射位置に送られる遊技媒体の数を計数する送り数計数手段と、
前記単位遊技において前記発射装置により発射された遊技媒体の数を計数する発射数計数手段と、
前記単位遊技において前記入球領域に入球した遊技媒体の数を計数する入球数計数手段と、
電力供給異常及びエラーのいずれが検出された場合においても、電源回復又はエラー回復するまで前記単位遊技における前記入球数計数手段にて計数された計数値を一時的に記憶することが可能な計数値特別記憶手段と、
前記計数値特別記憶手段に記憶されている計数値を、発射数として前記発射数計数手段の計数値に置き換える計数値置換手段とを備え、
前記発射制御信号は、前記発射装置において遊技媒体の発射を停止するための発射停止信号と、前記発射の停止を解除するための発射停止解除信号と、前記送り装置及び前記打撃装置を逐次的に作動させる逐次制御信号と、前記打撃装置のみを作動させる打撃装置特別制御信号とを含み、
前記発射停止信号は、前記送り数計数手段にて所定数の遊技媒体が計数された場合に送信され、
前記発射停止解除信号は、所定数の遊技媒体が前記入球数計数手段にて計数され、遊技領域に設けられた遊技装置の作動が終了した場合に送信され、
前記打撃装置特別制御信号は、所定数の遊技媒体が発射された後に前記発射位置にて遊技媒体が検知された場合に送信され、
前記遊技制御手段が送信した前記発射停止信号、前記発射停止解除信号、前記逐次制御信号、及び前記打撃装置特別制御信号を、前記受信側制御手段が予め定められた時期に受信できなかった場合に前記エラーが検出され、その後前記エラーを回復するために電源を一旦遮断させた後電源を復帰させたとき、エラー回復後の前記単位遊技において、前記計数値置換手段が発射数として置き換えた計数値から前記所定数に満たない数の遊技媒体を発射する処理を行うことを特徴とする遊技機。
【発明の詳細な説明】
【技術分野】
【０００１】
本発明は、いわゆるセブン機、羽根物、権利物又はアレンジボール等の弾球遊技機や、スロットマシンなどのコイン式遊技機などの遊技機に関する。
【背景技術】
【０００２】
パチンコ機と通称される遊技機には組合せ式弾球遊技機（アレンジボール遊技機）と呼ばれる機種の一群がある。これは、例えば１ゲームで１６個の遊技球を発射することができ、発射された遊技球が遊技盤の流下経路上に設けられた入球口や、盤面下部の前面側に１〜１６までの数字が記されたケース内の入球口に直接入る毎に、該ケースの該当数字部分が点灯し、これが１ゲーム内で予め定められた組合せで点灯すれば、その組合せに応じた得点が付与され、総得点に基づき相当数の遊技球等の払出しが行われる。このような組合せ式弾球遊技機では、１ゲームに発射することが可能な遊技球数に上限を設けているために、発射される遊技球を検知し計数するための発射球計数手段が設けられている。
【０００３】
一方、弾球遊技機をはじめとする遊技機においては、一般に予期しない停電等の異常が発生して電力が遮断された場合（電断時）に、制御装置が突然停止し、それまでに記憶蓄積されていた遊技情報が全て消滅してしまう場合がある。
【０００４】
例えば、上記のような組合せ式弾球遊技機においては、特に発射球数について１ゲーム中途における電断等の異常発生時にはその計数値が記憶保持されないと、電断発生時の発射済みの発射球数が反映されず、電断復帰時に発射球数がゼロからスタートすることとなり、事実としてその１ゲームにおける発射球数に過剰が生じ、所定数の発射による１ゲームの終了という遊技条件を満たさない不具合が生じる。
【発明の開示】
【発明が解決しようとする課題】
【０００５】
そこで、本発明の課題は、組合せ式弾球遊技機等の遊技機において、電断等の異常発生があった場合でも、１ゲームで所定数の遊技球の発射を正確に行うことが可能であり、遊技者にとって安心して遊技を行うことが可能な遊技機を提供することにある。
【課題を解決するための手段及び発明の効果】
【０００６】
上記課題を解決するために、本発明の遊技機は、
所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、
前記遊技制御手段から送信される発射制御信号を受信して遊技媒体を発射するために、遊技媒体を発射位置に送るための送り装置と、遊技媒体を打撃するための打撃装置とを含む発射装置を制御する受信側制御手段と、
前記送り装置から前記発射位置に送られる遊技媒体の数を計数する送り数計数手段と、
前記単位遊技において前記発射装置により発射された遊技媒体の数を計数する発射数計数手段と、
前記単位遊技において前記入球領域に入球した遊技媒体の数を計数する入球数計数手段と、
電力供給異常及びエラーのいずれが検出された場合においても、電源回復又はエラー回復するまで前記単位遊技における前記入球数計数手段にて計数された計数値を一時的に記憶することが可能な計数値特別記憶手段と、
前記計数値特別記憶手段に記憶されている計数値を、発射数として前記発射数計数手段の計数値に置き換える計数値置換手段とを備え、
前記発射制御信号は、前記発射装置において遊技媒体の発射を停止するための発射停止信号と、前記発射の停止を解除するための発射停止解除信号と、前記送り装置及び前記打撃装置を逐次的に作動させる逐次制御信号と、前記打撃装置のみを作動させる打撃装置特別制御信号とを含み、
前記発射停止信号は、前記送り数計数手段にて所定数の遊技媒体が計数された場合に送信され、
前記発射停止解除信号は、所定数の遊技媒体が前記入球数計数手段にて計数され、遊技領域に設けられた遊技装置の作動が終了した場合に送信され、
前記打撃装置特別制御信号は、所定数の遊技媒体が発射された後に前記発射位置にて遊技媒体が検知された場合に送信され、
前記遊技制御手段が送信した前記発射停止信号、前記発射停止解除信号、前記逐次制御信号、及び前記打撃装置特別制御信号を、前記受信側制御手段が予め定められた時期に受信できなかった場合に前記エラーが検出され、その後前記エラーを回復するために電源を一旦遮断させた後電源を復帰させたとき、エラー回復後の前記単位遊技において、前記計数値置換手段が発射数として置き換えた計数値から前記所定数に満たない数の遊技媒体を発射する処理を行うことを特徴とする。
【０００７】
異常発生時やエラー発生時に、発射された遊技媒体が遊技領域を流下している場合や、発射誘導レール（発射誘導部）に乗っている場合等には、異常発生後やエラー発生後に入球領域に入球したときは該入球が無効となる。したがって、発射数は計数されるものの、入球が無効となって実際の入球数が発射数と異なる不具合が生じることとなる。すなわち、単位遊技において定められた遊技媒体数内で組合せ遊技を行う遊技機では、単位遊技における入球数が上限値に満たない不具合を発生させることとなり、次の単位遊技へ移行できなくなる。また該不具合により、遊技者にとっては組合せを増やす機会等が減ることとなって不利益を発生させる。なおこの場合は、異常回復後やエラー回復後において異常発生時やエラー発生時の発射数をバックアップしこれを参照して遊技を復帰させる場合である。したがって、本発明においては、かかる不具合を解消するべく単位遊技における入球領域への入球数も計数するとともに、該計数値を電断等の異常発生時やエラー発生時にバックアップし、異常回復後やエラー回復後には該バックアップした計数値を発射数として発射数計数手段の計数値に置き換え、置き換えた後の発射数計数手段の計数値を参照して発射数制御を行うものとした。よって、電断等の異常発生やエラー発生があった場合でも単位遊技における発射数制御を正確に行うことが可能となる。このことにより上記遊技者にとっての不利益を発生させず、次の単位遊技に移行できないという致命的な不具合を回避でき、さらには異常発生やエラー発生からの遊技機の円滑な稼働再開復帰が可能となり、ひいては遊技機の稼動率の低下を抑制できる。
【０００８】
前記単位遊技における前記入球数計数手段にて計数された計数値を一時的に記憶することが可能な計数値特別記憶手段を備えるものとすることができる。この場合、計数値特別記憶手段により、例えば停電等により電力供給異常（以下、電力供給の異常を電断という場合がある）やエラーが生じた場合でも、電断発生時の単位遊技における入球領域への入球数を電断回復時やエラー回復時まで記憶させておくことが可能となる。したがって、電断回復時には上記計数値特別記憶手段を参照して、電断発生時やエラー発生時の入球数を発射数に置換し引き続き該単位遊技を行うことが可能となる。なお、電力の供給を行う電力供給手段と、該電力供給の異常の有無を判断する電力監視手段とを具備させ、該電力監視手段にて異常と判断された場合に、入球数の計数値が計数値特別記憶手段に一時的に記憶保持されるものとすることができる。また、前記電力監視手段により異常と判断された場合に、前記計数値特別記憶手段に対し電力を一時的に供給する特別電力供給手段を備えるものとすることができる。このような構成により、電断等の異常発生時に計数値特別記憶手段に対し確実に電力が供給されることとなる。
【０００９】
以下、本発明の遊技機に付加可能な態様について説明する。なお、以下に示す各付加態様はそれぞれ複数組合せて用いることが可能である。
（第１の付加態様）
遊技の制御を司る遊技制御手段と、前記遊技媒体を発射するための発射装置を制御する発射制御手段とを含むものとすることができ、前記発射装置の作動を制御するための発射制御信号が、前記遊技制御手段から前記発射制御手段に送信されるものとすることができる。この場合、遊技制御手段を送信側制御手段とし、発射制御手段を受信側制御手段として発射に関する制御を効率良く行うことが可能となる。なお、上記計数値特別記憶手段は、遊技制御手段又は発射制御手段のいずれにも設けることが可能で、電断回復時には、遊技制御手段は該計数値特別記憶手段に記憶されている計数値（入球数）を参照して発射制御信号を送信するものとすることができる。
【００１０】
（第２の付加態様）
遊技媒体の払出しに関連する制御を行う払出制御手段を含み、前記発射装置を作動させるための発射制御信号が、前記遊技制御手段から前記払出制御手段を介して前記発射制御手段に送信されるものとすることができる。従来の遊技機においては、所定の時間（例えば１分）内に発射可能な遊技媒体の数（約１００個）を上限として、所定の間隔で遊技媒体を発射可能としていた。したがって、このような従来の遊技機における発射装置は、発射制御信号のＯＮ−ＯＦＦ（例えばタッチセンサ等による）に基づいて作動制御され、所定の発射間隔で常に作動可能とされている。しかしながら、単位遊技における発射数が定められた遊技機においては、発射数に応じて発射装置を制御する必要が生じる。具体的には、単位遊技の開始時に発射装置を作動させる制御を行ったり、或いは単位遊技における発射数が上限となった場合に発射装置の作動を停止させる制御を行ったりする。そこで、例えば制御主体たる遊技制御手段が検知手段により検知した発射数に基づいて、発射制御手段に発射制御信号（発射制御コマンド）を送信することとなるが、遊技制御手段は遊技全般の制御を司るため、動的装置たる発射装置を備える発射制御手段の近傍に遊技制御手段を配設すると、動的装置からのノイズの影響により遊技制御手段に誤作動が生じる可能性があるため両制御手段はある程度の距離を隔てて配設される場合が多い。このような場合、両制御手段間のハーネス（信号線）は長くなり易く、例えば発射制御信号にノイズが混入し発射装置において誤作動が生じる場合がある。しかしながら、本発明のような、遊技制御手段と払出制御手段、発射制御手段を備える場合、発射制御信号を払出制御手段を介して送信することにより、ハーネス（信号線）が一旦払出制御手段にて中継され短くすることができるために、上記発射制御手段に対してノイズが混入し難くなる。したがって、発射装置の誤作動が発生しにくく正確な発射制御が可能となり、単位遊技における発射数に応じた発射装置の制御が正確に行われ、電断等の異常発生時においても正確な発射制御を行うことが可能となる。
【００１１】
（第３の付加態様）
前記発射装置は、前記遊技媒体を発射位置に送るための送り装置と、該遊技媒体を打撃するための打撃装置とを含み、前記遊技制御手段は、前記送り装置と前記打撃装置とを逐次的に作動させるための逐次制御信号、又は前記打撃装置を作動させるための打撃装置特別制御信号を、遊技状態に応じて前記発射制御手段に送信することを特徴とする。このような遊技機によると、逐次制御信号が送信されると発射装置における送り装置と打撃装置の作動が同一シーケンスで制御される。例えば送り装置の作動の後に打撃装置の作動が逐次的に行われるものとなる。一方、打撃装置特別制御信号が送信されると、発射装置において打撃装置のみが作動するものとなる。したがって、例えば単位遊技において遊技領域に発射される遊技媒体数に上限があって、該上限値の遊技媒体が発射された後に、遊技領域に達せずに発射位置に戻ってきた遊技媒体が検知された場合等の遊技状態では、打撃装置特別制御信号を送信して打撃装置のみを作動させ発射位置にて検知された遊技媒体のみを確実に発射することが可能となる。但し、この場合、送り装置と同一シーケンスで打撃装置を逐次的に作動させた場合だけでは、送り装置により超過分の遊技媒体が発射位置に送られ、該超過分の遊技媒体が発射される可能性が生じ、単位遊技において定められた数の遊技媒体の発射を確実に行えない場合がある。しかしながら、本発明においては上述の通り、打撃装置のみを作動させることが可能であるため、定められた数の遊技媒体の発射を確実に行うことが可能となり、公平な条件のもとで遊技者にとって信頼性の高い発射制御を実現することが可能となる。なお、この場合も、遊技媒体の払出しに関連する制御を行う払出制御手段を含むものとし、前記逐次制御信号又は打撃装置特別制御信号が、前記遊技制御手段から前記払出制御手段を介して前記発射制御手段に送信されるものとすることが可能である。
【００１２】
（第４の付加態様）
前記発射装置は、前記遊技媒体を発射位置に送るための送り装置と、該遊技媒体を打撃するための打撃装置とを含み、
前記遊技制御手段は、前記送り装置を作動させるための送り装置制御信号、前記打撃装置を作動させるための打撃装置制御信号、又は前記打撃装置を特別に作動させるための打撃装置特別制御信号を、遊技状態に応じて前記発射制御手段に送信することを特徴とする。この場合は、送り装置と打撃装置とを制御する信号がそれぞれ別途設けられているため、発射制御手段は、送り装置制御信号が送信されると発射装置における送り装置の作動を、打撃装置制御信号が送信されると発射装置における打撃装置の作動をそれぞれ別個に制御することが可能となる。また、例えば単位遊技において遊技領域に発射される遊技媒体数に上限があって、該上限値の遊技媒体が発射された後に上記発射位置において遊技媒体が検知された場合等の遊技状態では、上記打撃装置特別制御信号が送信されると、打撃装置のみを作動させて発射位置にて検知された遊技媒体のみを確実に発射することが可能となる。すなわち、単位遊技において定められた数の遊技媒体の発射を確実に行うことが可能となり、公平な条件のもとで遊技者にとって信頼性の高い発射制御を実現することが可能となる。なお、この場合も、遊技媒体の払出しに関連する制御を行う払出制御手段を含むものとし、前記送り装置制御信号、打撃装置制御信号又は打撃装置特別制御信号が、前記遊技制御手段から前記払出制御手段を介して前記発射制御手段に送信されるものとすることが可能である。
【００１３】
（第５の付加態様）
前記遊技媒体が前記発射位置にあることを検知する発射位置遊技媒体検知手段が設けられ、前記発射位置遊技媒体検知手段にて遊技媒体が検知された場合に、前記打撃装置特別制御信号が送信されるものとすることができる。この場合、例えば発射した遊技媒体が遊技領域に達せずに発射誘導レール（外レール／発射誘導部）を発射方向とは逆方向に戻ってきた場合には、最終的に発射位置に戻ってくる場合があるが、本発明においては、該発射位置に戻ってきた遊技媒体を発射位置遊技媒体検知手段にて検知可能となる。すなわち、前記発射位置遊技媒体検知手段にて遊技媒体が検知された場合は、発射誘導レールを逆戻りして遊技媒体が発射位置に戻ってきたことが識別され、該発射位置遊技媒体検知手段にて遊技媒体が検知された場合に、上記発射制御手段が打撃装置特別制御信号に基づいて打撃装置のみを作動させることにより、該戻ってきた遊技媒体のみを再度打撃（発射）することが可能となる。したがって、発射されるべき遊技媒体を確実に遊技領域に発射させ入球領域に入球させることが可能となる。
【００１４】
（第６の付加態様）
前記送り装置から前記発射位置に送られる遊技媒体の数を計数する送り数計数手段と、前記遊技媒体が前記発射位置にあることを検知する発射位置遊技媒体検知手段とを備えるものとすることができ、前記単位遊技において遊技領域に発射される遊技媒体数に上限があって、前記送り数計数手段により該上限値の遊技媒体数が計数されてから所定時間経過後に、前記発射位置遊技媒体検知手段にて遊技媒体が検知された場合に、前記打撃装置特別制御信号が送信されるものとすることができる。この場合も、例えば発射した遊技媒体が遊技領域に達せずに発射誘導レール（外レール／発射誘導部）を発射方向とは逆方向に戻ってきた場合には、最終的に発射位置に戻ってくる場合があるが、該発射位置に戻ってきた遊技媒体（戻り遊技媒体）を発射位置遊技媒体検知手段にて検知可能となる。すなわち、送り数計数手段により上限値の遊技媒体数が計数されてから所定時間経過（例えば戻り球確認時間として約２秒以上）後に、前記発射位置遊技媒体検知手段にて遊技媒体が検知された場合は、発射誘導レールを逆戻りして遊技媒体が発射位置に戻ってきたことを識別可能とされている。そこで、該発射位置遊技媒体検知手段にて遊技媒体が検知された場合に、上記発射制御手段が打撃装置特別制御信号に基づいて打撃装置のみを作動させることにより、該戻ってきた遊技媒体のみを再度打撃（発射）することが可能となる。したがって、上限値（所定数）の遊技媒体を過不足なく確実に遊技領域に発射させ入球領域に入球させることが可能となる。なお、発射位置遊技媒体検知手段は、例えば打撃装置の先方（打撃槌の先方）であって上記発射誘導レールの打撃装置に近接する位置に設けた接触センサ又は非接触センサとすることができる。また、上記送り数計数手段は、前記送り装置から前記発射位置に送られる遊技媒体を検知する送り遊技媒体検知手段とすることができる。すなわち、送り遊技媒体検知手段からの検知信号に基づいて送り遊技媒体が計数されるものとすることができる。
【００１５】
（第７の付加態様）
前記入球領域における遊技媒体の入球を検知する入球検知手段を備え、前記発射位置遊技媒体検知手段により該上限値の遊技媒体数が検知されてから該入球検知手段に上限値の遊技媒体が検知されるまでの間に、前記発射位置遊技媒体検知手段にて遊技媒体が検知された場合に、上記打撃装置特別制御信号が送信されるものとすることができる。あるいは、打撃装置における打撃回数を計数する打撃回数計数手段を備え、打撃回数計数手段にて上記上限値と同数の打撃が計数されてから上記入球検知手段に上限値の遊技媒体が検知されるまでの間に、前記発射位置遊技媒体検知手段にて遊技媒体が検知された場合に、上記打撃装置特別制御信号が送信されるものとすることができる。このような遊技機においては、遊技媒体の発射戻りを一層正確に検知することが可能となり、検知した遊技媒体を確実に遊技領域に発射することが可能となる。
【００１６】
（第８の付加態様）
前記送り数計数手段（送り遊技媒体検知手段）と、前記発射位置遊技媒体検知手段との検知情報に基づいて、発射された遊技媒体数をカウント（計数）する発射遊技媒体数計数手段を備えるものとすることができる。
また、例えば発射した遊技媒体が遊技領域に達せずに発射誘導レール（外レール／発射誘導部）を発射方向とは逆方向に戻ってきた場合に、該戻ってきた遊技媒体をファール遊技媒体として当該発射誘導レール（外レール／発射誘導部）外部に導くためのファール遊技媒体誘導部を備え、該ファール遊技媒体を検知するためのファール遊技媒体検知手段を備えるものとすることができる。
ここで、ファール遊技媒体の検知があった場合、上記遊技領域に到達可能な遊技媒体数が減るため、上記送り数計数手段（送り遊技媒体検知手段）にて計数された送り遊技媒体数を減算する処理を行う送り遊技媒体数減算手段を備えるものとすることができる。また、遊技媒体数減算手段により減算処理が行われると、前記遊技制御手段は前記送り装置を減算分だけ作動させることとなる。
この場合、単位遊技において遊技領域に発射された遊技媒体数を発射遊技媒体計数手段により正確に計数することが可能となる。
【００１７】
（第９の付加態様）
前記発射遊技媒体数計数手段は、前記送り数計数手段（送り遊技媒体検知手段）からの検知信号があった後であって、前記発射位置遊技媒体検知手段からの検知信号があった場合に、発射遊技媒体数を計数する（加算処理する）ものとすることができる。さらに具体的には、前記発射遊技媒体数計数手段は、前記送り数計数手段（送り遊技媒体検知手段）からの検知信号があった後であって、前記発射位置遊技媒体検知手段が前記遊技媒体を検知し、その検知信号のレベルが変化した場合に発射遊技媒体数を計数するものとすることができる。すなわち、発射位置遊技媒体検知手段からの検知信号があり、その検知信号のレベルが変化した場合に発射遊技媒体数を計数する。なお、上記発射遊技媒体計数手段は具体的には上記遊技制御手段が担うものとすることができる。
【００１８】
ここで、例えば送り装置に送り数計数手段（送り遊技媒体検知手段）を配設しない場合、遊技制御手段（発射遊技媒体数計数手段）は、発射位置に配設した発射位置遊技媒体検知手段の検知信号に基づいて発射遊技媒体数を計数することになる。従って、例えば、上皿等に一時的に貯留された発射待機遊技媒体数が、単位遊技に必要な遊技媒体数（例えば１６個）に満たない場合（１５個しかない場合）であって、その全ての遊技媒体（１５個）を発射した後、最後に発射した遊技媒体（１５個目に発射した遊技媒体）が遊技領域に届かず発射位置に戻ってきた場合には、その戻ってきた遊技媒体を発射することにより上限値（１６個目）の遊技媒体として検知（計数）してしまうこととなる。すなわち、実際の発射遊技媒体数（１５個）と遊技制御手段が検知（計数）した遊技媒体数（１６個）とが一致しないという不具合が生じる場合がある。
【００１９】
そこで、かかる不具合を解消する方法として、上記態様においては、送り装置に送り数計数手段（送り遊技媒体検知手段）を配設し、発射遊技媒体の計数は、遊技制御手段（発射遊技媒体数計数手段）において送り数計数手段（送り遊技媒体検知手段）からの遊技媒体検知信号を検出後、発射位置遊技媒体検知手段からの遊技媒体検知信号を検出した後であってその検知信号のレベルが変化した場合に実行されるものとされている。具体的には、例えば検知信号がパルス立上りにより検出される場合において、遊技制御手段（発射遊技媒体数計数手段）が送り数計数手段（送り遊技媒体検知手段）からのパルス立上りエッジを検出後、発射位置遊技媒体検知手段からのパルス立下りエッジを検出した場合に、発射遊技媒体の計数が行われる。
【００２０】
単位遊技に使用される遊技媒体数が定められた遊技機において、発射遊技媒体数は遊技者の利益に関連するので、上記遊技制御手段にて発射遊技媒体数を正確に把握する必要があるが、上記遊技機によると、現実に遊技領域に到達した遊技媒体数と、遊技制御手段（発射遊技媒体数計数手段）が把握（検出ないし計数）する発射遊技媒体数とを確実に一致させることが可能となり、公平な遊技を提供することが可能となる。
【００２１】
（第１０の付加態様）
上記発射遊技媒体数計数手段にて計数された発射遊技媒体数が、単位遊技にて発射可能な遊技媒体数と同数（例えば１６個）となった場合であって、前記発射位置遊技媒体検知手段にて遊技媒体が検知された場合に、前記打撃装置が作動されるものとすることができる。具体的には、前記遊技制御手段から前記発射制御手段に前記打撃装置特別制御信号が送信され、前記打撃装置が特別に作動するものとされている。この場合も、単位遊技における所定数の遊技媒体を正確に発射することが可能となる。なお、この場合において上記送り装置は作動しないものとされている。
【００２２】
（第１１の付加態様）
前記遊技制御手段を、前記発射装置において前記遊技媒体の発射を停止するための発射停止信号と、該発射の停止を解除するための発射停止解除信号と、前記打撃装置特別制御信号とのいずれかを遊技状態に応じて前記発射制御手段に送信可能なものとすることができる。具体的には、発射停止信号及び発射停止解除信号は、上記逐次制御信号、あるいは送り装置制御信号と打撃装置特別制御信号との組合せにより実現することができる。この場合、遊技状態に応じて打撃装置のみを作動させることが可能となり、例えば発射位置に戻ってきた遊技媒体（戻り球）を正確に超過なく発射することが可能となる。
【００２３】
（第１２の付加態様）
送信側制御部としての前記遊技制御手段から送信される発射停止解除信号又は発射停止信号、打撃装置特別制御信号（打撃装置特別作動信号）等の発射制御信号が、受信側制御手段としての前記払出制御手段又は前記発射制御手段において予め定められた時期に受信できなかった場合に、エラー検出を行うものとすることができる。ここで、発射停止解除信号は、上限値の遊技媒体が上記入球検知手段にて検知され、遊技領域に設けられた遊技装置（例えば図柄表示装置、遊技媒体振分装置等）の作動が終了した場合に送信されるものとされ、発射停止信号は、上記送り数計数手段にて上限値の遊技媒体が計数された場合に送信されるものとされている。また、打撃装置特別制御信号（打撃装置特別作動信号）は、上限値の遊技媒体が発射された後に上記発射位置遊技媒体検知手段にて遊技媒体が検知された場合に送信されるものとされている。予め定められたタイミングで発射制御信号が送信されなかった場合にもエラー検出し、その検出に応じてエラー処理を行う。その結果、正常な遊技に迅速に復帰することができる。
【００２４】
（第１３の付加態様）
前記遊技制御手段は、前記送り装置の作動を停止させるための送り装置作動停止信号と、前記送り装置の作動を開始させる（該送り装置の作動の停止を解除させる）ための送り装置作動開始信号（送り装置作動停止解除信号）と、前記発射装置の作動を停止させるための発射装置作動停止信号と、前記発射装置の作動を開始させる（該発射装置の作動の停止を解除させる）ための発射装置作動開始信号（発射装置作動停止解除信号）と、のいずれかをそれぞれ遊技状態に応じて前記発射制御手段（前記払出制御手段）に送信可能なものとすることができる。この場合、遊技状態に応じて打撃装置のみを作動させることが可能となり、例えば発射位置に戻ってきた遊技媒体（戻り球）を正確に超過なく発射することが可能となる。ここで、前記遊技制御手段は、前記単位遊技の開始時若しくは当該遊技機の電源投入時、若しくは停電等からの電断回復時に送信されるものであって、前記送り装置及び前記発射装置の作動を開始させるための遊技開始信号を遊技状態に応じて前記発射制御手段（前記払出制御手段）に送信可能なものとすることができる。この場合、例えば前記遊技制御手段から前記発射制御手段（前記払出制御手段）に前記送り装置作動停止信号と、前記発射装置作動停止信号とが送信されている場合であって、前記単位遊技の開始時（若しくは電源投入時、若しくは電断回復時）等の遊技開始時に、前記遊技開始信号が前記遊技制御手段から前記発射制御手段（前記払出制御手段）に送信されるものとすることができる。したがって、上記遊技開始時が明確となるとともに、前記発射制御手段（前記払出制御手段）において該遊技開始信号の受信に基づいて送り装置及び発射装置を作動させ、遊技開始と共に確実に遊技媒体を発射することが可能となり、電断等の異常発生があった後でも正確な発射制御を行うことが可能となる。
【００２５】
なお、上記送り装置と上記発射装置とが逐次的に作動される場合、上記遊技開始信号に基づきこれら送り装置と発射装置とが逐次的に作動が繰り返される。したがって、この場合、上記送り装置作動開始信号（送り装置作動停止解除信号）は、前記送り装置のみを特別に作動させる（送り装置のみ作動停止を特別に解除させる）ための信号とされ、上記発射装置作動開始信号（発射装置作動停止解除信号）は、前記発射装置のみを特別に作動させる（発射装置のみ作動停止を特別に解除させる）ための信号とされる。
【００２６】
（第１４の付加態様）
前記単位遊技において、前記送り数計数手段（送り遊技媒体検知手段）にて前記単位遊技における上限値（例えば１６個）の遊技媒体が検知（計数）された場合に、前記送り装置作動停止信号が前記遊技制御手段から前記発射制御手段（前記払出制御手段）に送信されるものとすることができる。これにより、単位遊技における上限値（例えば１６個）を超える遊技媒体の発射位置への送りを確実に防止可能となり、ひいては正確な発射数制御が可能となる。
【００２７】
（第１５の付加態様）
前記単位遊技において、前記発射位置遊技媒体検知手段にて前記単位遊技における上限値（例えば１６個）の遊技媒体（発射遊技媒体）が検知（計数）された場合に、前記発射装置作動停止信号が前記遊技制御手段から前記発射制御手段（前記払出制御手段）に送信されるものとすることができる。具体的には、前記遊技制御手段が前記発射位置遊技媒体検知手段からの遊技媒体検知信号を検出した後であって、その検知信号のレベルが変化した場合に、遊技媒体の計数が更新（＋１）されるものとされており、その計数が上記単位遊技の上限値となった場合に、前記発射装置作動停止信号が送信されるものとすることができる。例えば、前記遊技制御手段が、前記発射位置遊技媒体検知手段からの遊技媒体検知信号をパルス立上りにより検出する場合、該遊技制御手段が、そのパルス立下りエッジを検出した場合に、遊技媒体（発射遊技媒体）の計数が行われるものとすることができる。このような構成の採用により、以下のような発射制御が可能となる。
【００２８】
すなわち、前記単位遊技において、前記発射装置作動停止信号を送信した後、前記発射位置遊技媒体検知手段から遊技媒体の検知信号（遊技媒体再検知信号）を受信した場合、前記発射装置作動開始信号（発射装置作動停止解除信号）が送信されるものとすることができる。この場合、例えば発射位置に戻ってきた遊技媒体（戻り球）を確実に発射することが可能となり、発射されるべき遊技媒体を確実に遊技領域に発射させ入球領域に入球させることが可能となる。
なお、前記発射位置遊技媒体検知手段からの前記遊技媒体再検知信号を検出した後であって、その遊技媒体再検知信号のレベルが変化した場合に、再び前記発射置作動停止信号が送信されるものとすることができる。この場合、例えば発射位置に戻ってきた遊技媒体（戻り球）を正確に超過なく発射することが可能となる。
【００２９】
（第１６の付加態様）
前記発射装置は、遊技者の操作に基づきその作動を開始させることが可能とされ、該遊技者の操作に基づき発射操作検知信号を出力可能な発射操作検知信号出力手段（タッチセンサ）を含む発射操作手段（発射ハンドル）を備え、前記発射操作検知信号出力手段からの検知信号に基づいて、前記送り装置及び／又は発射装置が作動するものとすることができる。具体的には、前記発射制御手段は、前記発射操作手段からの前記発射操作検知信号と、前記遊技制御手段からの前記発射装置作動開始信号（発射装置作動停止解除信号）とを受信した場合に、前記送り装置及び前記発射装置の作動時期（作動タイミング）を制御するための作動時期制御手段（発射タイミング制御手段）が備えられているものとすることができる。このような作動時期制御手段は、例えば送り装置と発射装置との作動タイミングを逐次的に制御するものであって、具体的には送り装置が作動した後の所定時間経過後（例えば０．４秒後）に発射装置が逐次的に作動するものとすることができる。なお、この場合、送り装置は、作動時期制御手段からの作動指令信号と、前記遊技制御手段からの送り装置作動開始信号（送り装置作動停止解除信号）とがあった場合に作動するものとされている。また、発射装置についても、作動時期制御手段からの作動指令信号と、前記遊技制御手段からの発射装置作動開始信号（発射装置作動停止解除信号）とがあった場合に作動するものとされている。以上のような作動時期制御手段（発射タイミング制御手段）により、送り装置により発射位置に送られた遊技媒体が確実に発射されるものとなり、正確な発射数制御を行うことが可能となる。
【００３０】
（第１７の付加態様）
上記発射停止解除信号を受信した後であって、発射停止信号を受信する前に打撃装置特別制御信号を受信した場合にエラーを検出するものとすることができる。この場合、上限値の遊技媒体の発射が終了する前に受信側制御手段にて打撃装置特別制御信号を受信したためにエラーとなる。すなわち、上限値の発射が終了したにも拘らず発射位置にて遊技媒体が検知された場合に該遊技媒体のみを発射するために送信される打撃装置特別制御信号が、上限値の発射が終了していない場合に送信されたことによるエラーである。この場合のエラー処理としては、該エラーを遊技制御手段が処理し、当該遊技機に設けられたランプ、音声、表示等のエラー報知手段にてエラー報知し、当該遊技機を作動させるための電源を遮断させた後、電源を復帰させることより行うことが可能である。このようにして正常な遊技に迅速に復帰することができる。この場合、電源復帰時には、上記計数値特別記憶手段に記憶された計数値を発射数に置き換えて、当該単位遊技における発射上限値に対して不足分（上限値から該置換発射数を引いた数分）の遊技媒体を発射するものとされている。
【００３１】
（第１８の付加態様）
発射装置により発射又は発射とみなされた遊技媒体のうち、遊技領域に到達せずに当該遊技機外部（例えば下皿）に戻ってきた遊技媒体（ファール球）を検知するファール検知手段を備えるものとし、上記発射停止解除信号を受信し、発射停止信号を受信した後に、当該単位遊技においてファール検知手段にて検知された遊技媒体数よりも多くの数の遊技媒体が上記送り数計数手段にて計数された場合にエラーを検出するものとすることができる。また、単位遊技において前記送り装置が送り可能な遊技媒体数に上限値（送り上限値）が設けられ、単位遊技においてファール検知手段にて遊技媒体が検知された場合に、送り上限値が加算シフトされるものとされており、該加算しシフトされた送り上限値よりも多くの数の遊技媒体が上記送り数計数手段にて計数された場合にエラーを検出するものとすることもできる。この場合、ファール球よりも多くの遊技媒体を発射可能となる（すなわち単位遊技において上限値よりも多くの遊技媒体が発射可能となる）ためにエラーとなる。この場合のエラー処理としては、該エラーを遊技制御手段で処理し、当該遊技機に設けられたランプ、音声、表示等のエラー報知手段にてエラー報知し、当該遊技機を作動させるための電源を遮断させた後、電源を復帰させることより行うことが可能である。このようにして正常な遊技に迅速に復帰することができる。この場合、電源復帰時には、上記計数値特別記憶手段に記憶された計数値を発射数に置き換えて、当該単位遊技における発射上限値に対して不足分（上限値から該置換発射数を引いた数分）の遊技媒体を発射するものとされている。
【００３２】
（第１９の付加態様）
上記発射停止解除信号を受信する前に、発射停止信号又は打撃装置特別制御信号を受信した場合にエラーを検出するものとすることができる。この場合、発射の停止が解除される前に、すなわち発射が許される前に発射停止信号又は打撃装置特別制御信号が送信されたためにエラーとなる。具体的には、発射停止信号又は打撃装置特別制御信号を受信してから所定時間経過後、発射停止解除信号が受信されない場合にエラー処理を行うものとすることができる。この場合、該エラーを払出制御手段が処理し、当該遊技機に設けられたランプ、音声、表示等のエラー報知手段にてエラー報知し、当該遊技機を作動させるための電源を遮断させた後、電源を復帰させ発射停止解除信号を遊技制御手段から受信することより行うことが可能である。このようにして正常な遊技に迅速に復帰することができる。この場合、電源復帰時には、計数値特別記憶手段に記憶された計数値を発射数に置き換えて、当該単位遊技における発射上限値に対して不足分（上限値から該該置換発射数を引いた数分）の遊技媒体を発射するものとされている。
【００３３】
（第２０の付加態様）
上記送信側制御手段（遊技制御手段）において、上記送り装置作動停止信号を送信した後であって、上記送り数計数手段（送り遊技媒体検知手段）にて遊技媒体が検知（計数）された場合に、該遊技制御手段にてエラーを検出するものとすることができる。なお、送り数計数手段（送り遊技媒体検知手段）にて上記単位遊技における上限値の遊技媒体が検知された後であって、上記ファール検知手段にて遊技媒体（ファール遊技媒体）が検知された場合には、上記送り装置作動停止信号を送信した後であっても、そのファール検知手段でのファール検知（計数）分だけ送り装置及び発射装置が作動されるため、該ファール検知分を超える分の遊技媒体が上記送り数計数手段（送り遊技媒体検知手段）にて検知（計数）された場合にエラー検出とされる。この場合、上記上限値の遊技媒体が発射位置に送られ、送り装置が作動停止となったにも関わらず送り数計数手段にて遊技媒体が検知されたため、また、ファール検知数を超える遊技媒体が送り装置により発射位置に送られたためエラー検出となる。このようなエラー検出により、正確な発射数制御を実現することが可能となる。この場合のエラー処理としては、該エラーを遊技制御手段が処理し、まず、エラー報知として、当該遊技機に設けられたランプ制御手段等のエラー報知制御手段にてエラー報知制御を行い、ランプ等のエラー報知手段にてエラー報知する。そして、エラー回復処理として、当該遊技機を作動させるための電源を一旦遮断させた後、電源を復帰させることによりエラーを回復させることが可能である。また、その他にも、音声制御手段、表示制御手段等のエラー報知制御手段によりエラー報知制御を行い、スピーカ、表示画面等のエラー報知手段にてエラー報知することも可能である。このようにして正常な遊技に迅速に復帰することができる。この場合、電源復帰時には、上記計数値特別記憶手段に記憶された計数値を発射数として、当該単位遊技における発射上限値に対して不足分（上限値から該該置換発射数を引いた数分）の遊技媒体を発射するものとされている。
【００３４】
（第２１の付加態様）
上記受信側制御手段（発射制御手段若しくは払出制御手段）において、上記発射装置作動停止信号を受信した後であって、所定時間経過後（例えば６０秒後）、上記遊技開始信号を受信しない場合、該受信側制御手段にてエラーを検出するものとすることができる。この場合、エラー検出により、発射装置が作動せず遊技が進行しない等の不具合を解消することが可能となる。この場合のエラー報知としては、例えば払出制御手段に設けられたＬＥＤ等のエラー報知手段によりエラー報知を行うことが可能で、エラー回復処理としては、該エラーの発生後において遊技開始信号があった場合に、又は当該遊技機を作動させるための電源を一旦遮断させた後、電源を復帰させることによりエラーを回復させることが可能である。このようにして正常な遊技に迅速に復帰することができる。この場合、電源復帰時には、上記計数値特別記憶手段に記憶された計数値を発射数に置き換えて、当該単位遊技における発射上限値に対して不足分（上限値から該置換発射数を引いた数分）の遊技媒体を発射するものとされている。
【００３５】
（第２２の付加態様）
上記受信側制御手段（発射制御手段若しくは払出制御手段）において、上記送り装置作動停止信号を受信した後であって、所定時間経過後（例えば０．６秒後）、上記発射装置作動停止信号を受信しない場合、該受信側制御手段にてエラーを検出するものとすることができる。この場合、エラー検出により、発射装置作動停止信号が受信されないことに基づき、次の単位遊技に進めない等の不具合を解消することが可能となる。この場合のエラー報知としては、例えば払出制御手段に設けられたＬＥＤ等のエラー報知手段によりエラー報知を行うことが可能で、エラー回復処理としては、該エラーの発生後において遊技開始信号があった場合に、又は当該遊技機を作動させるための電源を一旦遮断させた後、電源を復帰させることによりエラーを回復させることが可能である。このようにして正常な遊技に迅速に復帰することができる。この場合、電源復帰時には、上記計数値特別記憶手段に記憶された計数値を発射数に置き換えて、当該単位遊技における発射上限値に対して不足分（上限値から該置換発射数を引いた数分）の遊技媒体を発射するものとされている。
【００３６】
（第２３の付加態様）
前記遊技媒体の払出しに関連する制御を行う払出制御手段と、前記遊技媒体の払出しは、所定数を単位としてその整数倍が払い出されるものとされ、その払出しの処理プログラムを前記整数倍の払出数毎に払出制御コマンドと対応付けて記憶する払出プログラム記憶手段と、前記賞態様があった場合に、該賞態様に応じて前記払出制御コマンドを前記払出制御手段に送信する払出制御コマンド送信手段とを備え、前記払出制御手段は、前記払出制御コマンドに対応する処理プログラムを読み出し、前記遊技媒体の払出しに関連する制御を行うことを特徴とする。このように、賞態様として遊技媒体を払い出す場合、払出しの処理内容を払出数毎に払出制御コマンドと対応付けて予め記憶させておき、賞態様があった場合は、遊技制御手段は該賞態様に応じて払出制御コマンドを払出制御手段に送信し、該払出制御手段はその払出制御コマンドに対応する処理プログラムを読み出し、遊技媒体の払出しに関連する制御を行うものとすれば、その処理効率が向上するとともに、より正確な払出しを行うことが可能となる。なお、上記払出制御コマンドに対応付けられた処理内容（処理データ）は、上記遊技制御手段又は払出制御手段のいずれにも記憶させておくことが可能で、例えば払出制御手段に記憶させておけば、遊技制御手段の処理負担を低減させることが可能となる。
【００３７】
（第２４の付加態様）
始動検知装置における遊技媒体の検知に基づき、１ないし複数の図柄を可変表示する可変表示装置と、
前記可変表示装置において前記図柄が特定の表示態様で確定表示された場合に、遊技者にとって相対的に有利な状態に変化する第１変動入球装置と、
前記第１変動入球装置へ入球した前記遊技媒体を、特定入球領域あるいは非特定入球領域のいずれかに誘導可能な誘導装置と、
前記特定入球領域への遊技媒体の入球に基づき、前記賞態様が通常状態よりも遊技者にとって相対的に有利となる特別遊技状態を発生させる特別遊技発生装置と、
前記特別遊技状態中に、役物作動用検知装置における遊技媒体の検知に基づき、遊技者にとって相対的に有利な状態に変化する第２変動入球装置と、
前記第２変動入球装置への有効な入球に基づき、前記賞態様を遊技者にとって相対的に有利とすることが可能な賞態様増加装置と、
を備えるものとすることができる。
【００３８】
可変表示装置における図柄の表示態様に基づき第１変動入球装置が入球有利な状態となり、第１変動入球装置に入球した遊技球が特定入球領域に入球すると特別遊技状態が発生する。ここで、遊技媒体は特定入球領域へは誘導装置により誘導されるが、その誘導装置は特定入球領域あるいは非特定入球領域のいずれかに誘導可能とされているため、いずれの領域に誘導されるかという不確定な要素により、遊技者に対して高い遊技興趣を付与することが可能となる。すなわち、本発明の遊技機においては、特定入球領域あるいは非特定入球領域のいずれに遊技媒体が入球するかは、第１変動入球装置への遊技媒体の入球態様ないし誘導装置への遊技媒体の入球態様によって異なるものとされている。一方、本発明の遊技機は、遊技者に高い遊技興趣を付与することが可能となるため、遊技店にとって遊技機の稼働率を向上させることが可能となる。なお、上記始動検知装置は、始動入球装置又は始動通過装置に設けられた遊技媒体検知スイッチとすることができ、役物作動用検知装置も、役物作動用入球装置又は役物作動用通過装置に設けられた遊技媒体検知スイッチとすることができる。このような構成を上記発射制御信号を送信可能な遊技機に付加することにより、遊技者に対して高い遊技興趣を付与しつつ、単位遊技における発射数をより正確に制御することが可能となり遊技者に対して信頼の高い遊技機を提供することが可能となる。
【００３９】
（第２５の付加態様）
上記入球領域には入球検知手段が設けられ、前記単位遊技において遊技領域に発射された遊技媒体又は発射とみなされた遊技媒体よりも多くの数の遊技媒体が前記入球検知手段に検知された場合に、その超過分の入球を無効とする入球判定手段が設けられているものとすることができる。この場合、単位遊技における限られた遊技媒体数の入球のみを有効とすることができ、意図的に単位遊技において上限値以上の遊技媒体を発射又は発射とみなして賞を得る等の不正を防止することが可能となる。すなわち、発射制御を確実に行いつつ不正防止も確実に行うことが可能となる。なお、遊技領域に発射又は発射とみなされた遊技媒体の数とは、送り数計数手段にて計数された遊技媒体数から、遊技領域に到達せずに戻ってきた遊技媒体数（例えばファール球数）を差し引いたものを言う。
【００４０】
一方、前記入球領域には入球検知手段が設けられ、前記単位遊技において前記入球検知手段において検知された遊技媒体の数と、遊技領域に発射された遊技媒体の数とがその発射時から所定時間経過して異なる場合に、異常と判定する異常判定手段を備えたものとすることもできる。また、前記異常判定手段により異常と判定された場合に、該異常を報知する異常報知手段を備えることもできる。あるいは、異常と判定された場合に、前記入球検知手段において検知された遊技媒体の数と発射された遊技媒体の数との差に関する情報を表示する異常情報表示手段を備えることもできる。この場合、発射された遊技媒体が遊技領域に設けられた障害釘等に引っかかった場合等に異常と判定することが可能となり、該異常を報知手段により遊技者又は当該遊技機を設置した遊技店の店員等に報知することが可能となる。したがって、異常に迅速に気付くことが可能となるとともに、該異常に対して迅速に対処することが可能となる。なお、異常判定された場合に、当該単位遊技をその異常判定時に中止するための遊技中断手段を設けることも可能である。具体的には、異常判定手段により異常と判定された場合に、発射装置における遊技媒体の発射を中断する処理を行うものとすることが可能である。なお、このような報知手段としては７セグメントＬＥＤや液晶等により表示したり、ランプ等により点灯表示したり、あるいは音声等により該異常を報知することが可能である。
【００４１】
（第２６の付加態様）
上記遊技機に備えられた全ての遊技装置の作動が終了した後に、次の単位遊技に進むことを特徴とする。このような遊技機によると、当該単位遊技において作動を開始した遊技装置の作動が、次の単位遊技に跨って作動することがなくなり、単位遊技の開始契機及び終了契機が明確となり、単位遊技毎に遊技者は自分の利益又は不利益を確認できる。なお、単位遊技の終了及び次の単位遊技の開始契機として、次のような構成とすることも可能である。すなわち、単位遊技における複数の入球領域への遊技媒体の入球に関連した識別情報を表示し、該識別情報の組合せに基づき賞態様を決定する遊技機において、所定数の遊技媒体が前記入球領域に入球し、前記単位遊技において作動する遊技装置の作動が終了した後に、次の単位遊技に進むものとすることも可能である。この場合も、特定の遊技装置の作動が次回の単位遊技に跨ることを防止することが可能となる。したがって、上記と同様な効果が発生する。
【００４２】
（第２７の付加態様）
前記単位遊技において入球領域に入球した遊技媒体の数を計数する計数手段を備え、該計数手段による計数値が、前記単位遊技における発射の上限値となった場合、所定の時間ｔ１経過後に次の単位遊技に進むものとされており、遊技態様に応じて作動する前記遊技装置の作動開始から終了までの作動時間ｔ２が、前記時間ｔ１よりも短くされていることを特徴とする。このような遊技機においては、遊技装置の作動時間ｔ２が一定となり、且つその作動時間ｔ２を次の単位遊技に進むまでの時間ｔ１よりも短くしたために、該遊技装置の作動が次の単位遊技に跨ることがなく、単位遊技の開始契機及び終了契機が明確となり、単位遊技毎に遊技者は、自分の利益又は不利益を確認できる。また、作動時間ｔ２だけ次の単位遊技に進むまでの時間ｔ１を延長する等の処理を行わないために、当該遊技機の稼働が上がり、遊技機を設置する遊技店の利益増大にも繋がる。
【００４３】
（第２８の付加態様）
遊技領域に発射又は発射とみなされた遊技媒体の数（発射数）に基づいて、前記可変表示装置における図柄の可変表示パターンを決定する可変表示パターン決定手段を備えていることを特徴とする。例えば、発射数が多いとき、すなわち単位遊技における発射可能な遊技媒体が上限値に近い場合（例えば上限値の２，３個前の場合、あるいは上限値の半分、若しくはそれよりも多い場合）には、可変表示時間の相対的に短い図柄変動表示パターンが選択されるように制御されるので、時間効率がよくなり当該遊技機の稼働率が向上し、遊技店の売上向上に寄与することが可能となるとともに、次の単位遊技に移行するまでの待ち時間が減るために、待つことによる遊技者の苛立ち、ストレスを減少させることが可能となる。なお、遊技領域に発射又は発射とみなされた遊技媒体の数とは、送り数計数手段にて計数された遊技媒体数から、遊技領域に到達せずに戻ってきた遊技媒体数（例えばファール数）を差し引いたものを言う。
【００４４】
（第２９の付加態様）
遊技制御を司る主制御部（遊技制御手段）と、該主制御部からの指令に基づき動作する副制御部（払出制御手段、図柄制御手段）とを備えるものとすることができる。このように遊技の制御を、主制御部と副制御部に分けて行うことで、組合せ式弾球遊技機等における遊技制御を効率よく行うことが可能となる。また、１つの制御部によって遊技制御を行う場合に比して、１つの制御部にかかる制御負担が軽減される。なお、主制御部が、上記指令を所定の時間間隔をおいて出力し、副制御部が、その指令により任された範囲で制御態様を選択して遊技制御を成立させるものとすれば、主制御部の制御負担が一層軽減される。
【００４５】
（第３０の付加態様）
前記主制御部及び／又は副制御部は、電源部から電力の供給を受けて作動し、該電源部は、少なくとも停電等の異常発生時に前記主制御部及び／又は副制御部におけるRAMデータを補償するバックアップ電源部を含むものとすることができる。このように、バックアップ電源部を電源部に具備させることで、停電等の異常発生時においても賞態様に関するデータ（例えば賞球データや得点データ）若しくは発射数に関するデータ等が補償されるようになる。
【００４６】
（第３１の付加態様）
前記主制御部又は副制御部には、該主制御部又は副制御部の制御に関する情報の全部又は一部を当該遊技機外部に出力することが可能な情報出力手段が設けられているものとすることができる。この場合、遊技機外部において遊技機の状態を容易に把握することが可能となり、第三者検査機関等による遊技機検査を簡便に行うことが可能となる。したがって、遊技機検査に係る期間を短縮することができ、ひいては新規遊技機の開発に係る期間をも短縮することができるようになる。
【００４７】
（第３２の付加態様）
第１電力供給手段と、
該第１電力供給手段の電力供給を監視し、電力供給の異常の有無を判断する電力監視手段と、
該電力供給に異常が発生した場合に、補助的電力を発生させる第２電力供給手段と、
異常が発生した場合に記憶情報の保持が補償されない第１記憶手段と、
異常が発生した場合に記憶情報の保持が補償される第２記憶手段と、
異常発生の有無に応じて、第１記憶手段の記憶情報を第２記憶手段に移管する情報移管手段とを備えるものとすることができる。
【００４８】
上記のような遊技機においては、停電等の異常発生時に、記憶手段に記憶されている記憶情報を確実に記憶保持（バックアップ）することが可能となる。特に、異常発生の有無に応じて、第１記憶手段（例えば入球数通常記憶手段）の記憶情報を第２記憶手段（例えば計数値特別記憶手段）に移管する構成としたため、異常発生時に第１記憶手段の記憶情報を第２記憶手段にて確実に記憶保持することができる。また、停電等の異常復帰後には、第１記憶手段から移管された第２記憶手段の記憶情報を参照して復帰処理を行うことができるため、該復帰処理を簡便且つ正確に行うことが可能となる。例えば、第１記憶手段の記憶情報を、遊技状態を示す遊技状態情報とすれば、その遊技状態情報に基づいて異常復帰処理を行うことが可能となる。なお、上記電力監視手段は、上記第１電力供給手段からの電力量を参照して電力供給の監視を行い、該電力量が所定値よりも低下した場合に、異常発生信号を上記情報移管手段に出力し、情報移管手段は異常発生信号に基づいて、上記第１記憶手段の記憶情報を第２記憶手段に移管する処理を実行する。また、上記情報移管は、情報を移管するための予め定められた情報移管実行プログラムに基づき、情報移管手段としての制御部（ＣＰＵを主体として構成される）により行われる。
【００４９】
上記遊技状態情報としては、例えば、遊技態様の成立を可能とする遊技制御プログラムにて定義された制御プログラム情報とすることができる。この場合、異常発生時に、第１記憶手段に記憶されている制御プログラム情報を第２記憶手段に移管することとなり、異常復帰後には該制御プログラム情報に基づいて遊技制御を正確に復帰させることが可能となる。なお、異常発生時の制御プログラム情報をそのまま記憶保持する場合、異常復帰後には、異常発生時と同じ遊技状態に直ちに復帰させることが可能となる。
【００５０】
また、上記第２記憶手段には遊技態様を成立させる遊技媒体情報が記憶され、異常が発生した場合に、上記制御プログラム情報と上記遊技媒体情報とが第２記憶手段に記憶されるものとすることができる。すなわち、例えば異常発生のない通常時には、遊技態様を成立させる遊技媒体情報が第２記憶手段に記憶され、異常発生時には、その発生時の第２記憶手段に記憶されている遊技媒体情報の記憶を保持しつつ、第１記憶手段に記憶されている制御プログラム情報が、前記情報移管手段により第２記憶手段に移管されて記憶保持される。従って、停電等の異常発生時に、第１記憶手段及び第２記憶手段に記憶された制御プログラム情報及び遊技媒体情報が確実に記憶保持されることとなる。なお、遊技媒体情報には上記発射遊技媒体数に関連する情報が含まれるものとすることができ、この場合、単位遊技において遊技領域に発射される遊技媒体数に上限がある遊技機について、電断等の異常発生時にも正確な発射数制御を行うことが可能となる。
【００５１】
（第３３の付加態様）
上記第２記憶手段に記憶される遊技媒体情報は、例えば価値媒体情報とすることができる。価値媒体情報は、遊技者の利益に直接的に関連するものであるため、異常が発生した場合に記憶保持が補償される第２記憶手段に記憶することが望ましい。なお、価値媒体情報は、例えば少なくとも遊技球の流通に関連する遊技球流通情報を含み、詳しくは賞球情報及び／又は貸球情報、発射情報を含むものとすることができる。なお、第１記憶手段に記憶される制御プログラム情報は、遊技態様の環境を規定する遊技制御プログラムにて定義され、第２記憶手段に記憶される遊技媒体情報は、遊技態様の環境の中で偶然性をもって発生するものである。また、遊技制御プログラムは事前定義された情報であるのに対し、遊技媒体情報は発生（事後）事象の情報として捉えることもできる。
【００５２】
（第３４の付加態様）
上記第１記憶手段は例えばレジスタとすることができる。この場合、レジスタとは、例えばデータの一時的な保持に用いるアキュムレータ、データ・レジスタや、制御用のアドレスレジスタ、命令レジスタ、インデックス・レジスタ、ステータス・レジスタ、割込みレジスタ等を含む。レジスタは、例えば遊技機を制御するＣＰＵに内蔵される素子で、電力供給に異常が発生し、電力供給量が所定値以下となった場合に、その記憶情報が消去されてしまうため、異常発生時における例えば制御に関するアドレスデータ等を第２記憶手段に移管することが望ましい。なお、第２記憶手段は、停電等の異常が発生した場合に、例えば上記第２電力供給手段からの補助電力供給により記憶保持が可能なメモリ、例えばＲＡＭ等を用いることが可能である。
【００５３】
（第３５の付加態様）
上記第２記憶手段には、異常の有無を示す異常検知情報を記憶させることができる。この場合、遊技機の電源をＯＮした場合に、第２記憶手段における異常検知情報の有無を確認し、該異常検知情報が有る場合のみ異常復帰処理を行うものとすることが可能である。
【００５４】
（第３６の付加態様）
上記払出制御手段が上記第１記憶手段及び第２記憶手段を備えるものとすることができる。さらに、上記第２電力供給手段の供給電力を、遊技制御手段を経由して払出制御手段に供給することが可能である。この場合、払出制御手段における遊技媒体の払い出しに関連する記憶情報が、異常発生時に確実に保持されるとともに、第２電力供給部から遊技制御手段を経由して払出制御手段に補助的電力が供給されるため、遊技機の制御を司る遊技制御手段における記憶情報も、異常発生時に記憶保持することが可能である。なお、遊技制御手段に上記第１記憶手段及び第２記憶手段に具備させ遊技情報（発射遊技媒体数情報）を該遊技制御手段で記憶・補償するものとすることも可能である。なお、本明細書において異常とは、例えば停電や瞬断、その他の要因による電源遮断による遊技機の電源電圧が低下する異常であり、この場合、電力監視手段は、特定の異常として、停電等による電源電圧の低下を検出するものとされる。
【００５５】
（第３７の付加態様）
前記電力供給異常の検出出力（信号）を直接の起動指令とする形で、遊技情報の記憶保持処理（バックアップ処理）を無条件に開始させるのではなく、電力監視手段により異常が検出された場合は、その検出結果に対応して異常検知情報を生成し、これを異常確定情報記憶手段（例えば第２記憶手段）に記憶させ（例えば書き込む）、その異常確定情報の記憶に対応させる形にて、異常発生時の遊技状態を反映した遊技情報を、上記第２記憶手段に記憶・保持させる記憶保持制御（バックアップ記憶制御）を行うものとすることができる。これによれば、電源遮断等の本来の異常発生時には、異常検出出力発生に伴い異常検知情報の記憶が行われるのに対し、プログラム暴走等の際には異常検出出力は発生しないので、異常検知情報の記憶がなされない。従って、異常から復帰した際には、この異常検知情報を目印とすることで、予め定められた特定の異常が発生した場合にのみ、遊技情報の回復処理を正しく実行させることができ、ひいては復帰後の遊技機の正常な動作を保証することができる。
【００５６】
（第３８の付加態様）
上記払出制御手段は、電源投入時モードと、異常発生のない通常時モードと、異常発生時モードとを含み、
前記電源投入時モードにおいては、前記第２記憶手段の記憶保持の有無を確認する記憶確認手段と、該記憶保持が無い場合に前記第１記憶手段及び前記第２記憶手段を初期化し、前記記憶保持が有る場合に該記憶を保持しつつ前記第１記憶手段を初期化する初期化手段とが作動し、
前記通常時モードにおいては、価値媒体の払い出しに関する処理を行う通常時処理手段が作動し、
前記異常発生時モードにおいては、前記第２電力供給手段により、前記情報移管手段と、前記遊技媒体情報及び前記異常検知情報の記憶保持を行う記憶保持手段とが作動するものとすることができる。
【００５７】
このように、価値媒体払出制御部においてモード分けされ、制御内容が、遊技機の互いに相容されない状態に応じて３つの作動モードが設定されていることにより、通常時、異常発生時、及び異常復帰時における制御が簡便且つ確実に行われるようになる。さらに、制御仕様の分類が容易となり、第三者検定機関への許認可申請作業及び申請後の技術検定作業を簡便に行うことができる。なお、前記異常発生時には優先順位の最も高い割込み信号が前記主制御部から前記価値媒体払出制御部に送信され、前記異常発生時モードにおいては、当該価値媒体払出制御部における全ての前記レジスタを退避させ、前記割込み信号が送信される前の前記制御プログラム情報を記憶するものとすることも可能である。
【００５８】
（第３９の付加態様）
前記第１電源供給部は、
受電電圧の入力部と、該受電電圧を複数の異なる電源電圧に変換する電圧変換部と、変換された電源電圧を出力する電源電圧出力部とを有する電源ユニットと、
該電源ユニットと分離して設けられるとともに、該電源ユニットの前記電源電圧出力部から出力される複数の電源電圧を受ける電圧入力部と、遊技機の各所に設けられた電気的動作部に前記電源電圧を供給するために、それら電源電圧に個別に対応して形成され、該電源電圧の少なくとも１つのものについて、複数の出力端子が分配形成された電源電圧出力部とを有する分電基板と、
を備えるものとすることが可能である。
【００５９】
この構成によると、遊技機にて必要となる複数の電源電圧を電源ユニットの電圧変換部で一括生成する一方、該電源ユニットから独立して設けられた分電基板の電源電圧出力部から、電源ユニットからの各電源電圧を遊技機各所に分配するようにしたので、新機種設計や仕様変更に際して必要な電源出力部の数や電源電圧構成が変化しても、分電基板のみ仕様変更すればよく、第１電力供給手段の設計変更を最小限に留めることができる。分電基板は、設計変更の容易性や部品交換の利便性を考慮して、所定の取付対象部（例えば遊技機の裏機構盤など）に対し着脱可能に取り付けられていることが望ましい。
【００６０】
（第４０の付加態様）
上記電源ユニットの電圧変換部は、交流受電電圧を複数の直流電源電圧に変換するものとすることができる。交流受電電圧は例えばＡＣ２４Ｖとすることができ、変換される直流電源電圧は、例えばＤＣ３２Ｖ（弾球遊技機の場合、役物等のソレノイド駆動電圧として利用できる）、ＤＣ２４Ｖ（同じく、発射装置用トルクモータの駆動電圧として利用できる）、ＤＣ１２Ｖ（同じく、賞態様たる賞球を払い出すための賞球払出装置用モータの駆動電圧、あるいはその他のアナログ制御用電圧として利用できる）、ＤＣ５Ｖ（ディジタル制御用駆動電圧として利用できる）等である。いずれも目的に応じて、整流、平滑化等された電源電圧として、さらに＋あるいは−の単極性もしくは双極性の電源電圧として生成可能である。
【００６１】
（第４１の付加態様）
上記分電基板の電源電圧出力部には、遊技機の作動を直接或いは間接的に司る制御基板を複数接続するために、各基板にて使用される１又は２以上の電源電圧の出力端子を一まとめとした基板側コネクタを、接続すべき基板数に対応して複数設けることができる。この構成によると、各基板に必要な電源電圧を生成するための電源部（第１電力供給手段）を個別に設けるのではなく、１つの電源ユニットにて発生させた各種の電源電圧を分電基板から一元的に各基板に分配するようにしたから、電源ユニットの個数削減を図ることができる。さらに、第三者による遊技機の検定を行う際も、電源関連部分の検定に際して分電基板の技術説明書面（図面等含む）や、基板上に表示された識別文字（部品型式名や電圧値等含む）などの仕様を見れば、各基板でどのような電源電圧を必要としているかを一目で判別することができる。
【００６２】
（第４２の付加態様）
上記分電基板には、これに接続される複数の制御基板（上記遊技制御基板及び払出制御基板等）の少なくとも１つについて、基板部品を過電流から保護するために、該制御基板に供給される特定電圧の出力電流が過剰となった場合に、これを遮断する電流遮断機構を設けておくことができる。電流遮断機構は、大電流負荷が接続される制御基板、例えばモータが接続される制御基板に設けておくと有効である。この場合、電流遮断機構は、モータ駆動用電圧の出力電流が過剰となった場合にこれを遮断するものとされる。
【００６３】
上記電流遮断機構は、スイッチ式のブレーカ機構を用いることもできるが、電流遮断用のヒューズを含むものが簡便であり、安価に構成できる利点がある。ところで、従来は、このようなヒューズは、異常の発生した電気機器のみ作動を制限できるようにするため、制御基板毎に個別に設けられていた。ところが、近年は、不正改造防止等のため、制御基板がカバー手段にて覆われることが多くなってきた。例えば、不正行為の有無を確認しやすくするために、このようなカバー手段は、取り外し操作がなされたことを識別可能とするために、該取り外し操作に伴う外観上の痕跡を意図的に残留させるものとして構成されることが多くなってきている。具体的には、カバーの開閉部に、カバー開閉に際して切断されやすい紙テープや、剥がし取るとテープ面に画像（例えばホログラフィー画像）や文字等が現れる剥離検出機能付きテープを用いて封印を施す構成や、カバー本体に形成された被切断連結部を介して一体化されたねじ止め部において、いわゆるワンウェイビスによりカバー取り付けし、この被切断連結部を切断してカバー本体とねじ止め部とを分離する形でカバー取り外しを行うようにした構成等がある。
【００６４】
この場合、制御基板にヒューズが取り付けられていると、切れたヒューズを交換する際にカバーの取り外しを余儀なくされ、本来意図していない要因によって、カバーに痕跡が残留してしまうことになる。従って、ヒューズ交換後にカバーを再装着する際に、痕跡のない状態への復帰作業が必要となり、非常に面倒である。そこで、ヒューズは分電基板に設けるようにし、カバー手段を有さないか、カバー手段を設ける場合でも、取り外し操作に伴う意図的な痕跡残留を生じないカバー手段を用いる構成とすることにより、制御基板側のカバー手段の取り外しを行うことなく、簡単にヒューズ交換を行うことができる。なお、本発明における制御基板は、ＣＰＵ，ＲＡＭ，ＲＯＭ等の第１次的な電子部品を実装した基板の他、バッファ部品やラッチ部品等のように主に信号のタイミングや組合せを操作するための第２次的な電子部品を実装した基板、及び、コンデンサ、抵抗、その他のいわゆるディスクリート部品のような第３次的な電子部品のみを実装した基板等を含んでいる。
【発明を実施するための最良の形態】
【００６５】
以下、本発明の実施の形態を図面に示す実施例を参照しつつ説明する。
まず、組合せ式遊技機としてのアレンジボール遊技機（単に遊技機とも言う）１の構造を図１及び図２を参照して説明する。
【００６６】
遊技機１の前面部は、本体枠２と、中枠３と、前面枠４と、上皿部５と、下皿部６と、施錠装置７とから構成されている。本体枠２は、木製の板状体を略長方形の額縁状に組立て固着したものである。中枠３は、全体がプラスチック製で、枠体部（図示略）と下板部（図示略）とを有し、本体枠２に対して開閉可能に軸支されている。中枠３の右端中央には施錠装置７が設けられ、施錠装置７は、正面視すると鍵穴を備えた略長方形状を呈し、前面枠４を閉鎖した場合に施錠するためのものである。
【００６７】
ここで枠体部は、上端から下方へ中枠３全体の略２／３程度に略長方形の額縁状に形成され、上端部には、前面枠４の略三角形状の枠飾りＬＥＤ用レンズ４ｃ，４ｅに対応して、左側に賞球表示ＬＥＤ（図示略）及び賞球表示ＬＥＤ基板４ｄ（図５参照）が、右側にストップ表示ＬＥＤ（図示略）及びストップ表示ＬＥＤ基板４ｆ（図５参照）が配設されている。
【００６８】
また、下板部は、下端から上方へ中枠３全体の略１／３程度を占め、左端には、上皿部５に形成されたスピーカー面５ａに対応すべく、遊技状態に応じた効果音その他の音（音声）を発生させるスピーカー４００ａ（図４参照）が配設され、略中央には、遊技球を発射する発射装置ユニット８（図２参照）に対し、上皿部５に貯留された遊技球を供給する球送り装置等（図示略）が設けられている。
【００６９】
さらに、下板部の下方には、灰皿や玉抜きレバー等を備えた下皿部６が設けられ、下皿部６の略中央には、遊技機１の内部から遊技球を排出するための排出口６ａが開設され、右端に発射装置ユニット８（図２参照）を操作する発射ハンドル９が設けられている。また、この発射ハンドル９には、遊技者がタッチしていることを検出するタッチスイッチ９ａが装着され、その近傍には、遊技者が操作して発射停止を一時的に指令する発射停止スイッチ９ｂが配置されている。
【００７０】
前面枠４は、全体がプラスチック製であり、遊技盤１０を前方から視認するべく、遊技盤１０に形成された遊技領域１１の形状に対応して上側が略円弧状を呈し、全体が略弾丸形状に開設された開口部４ａを有している。そして、その裏面には、開口部４ａに応じてガラス板等の透明板が嵌められた略長方形状の透明板枠（図示略）が装着されている。また、この前面枠４は、遊技機１の前面全体の約２／３のサイズを占め、中枠３の左端に軸着され開閉可能に形成されている。さらに、上端部には、枠飾りランプ用レンズ４ｂも設けられ、このレンズ４ｂ内部には、開口部４ａ上端の円弧部分に沿って、枠飾りランプ基板（遊技効果ランプ基板）４ｇ（図５参照）及び複数個の遊技効果ランプ（図示略）が配設されている。
【００７１】
上皿部５は、前面枠４の下側で、中枠３の左端に軸着され開閉可能に形成されている。皿外縁部５ｂには、玉抜きボタンや遊技球の貸出・返却ボタン等が配設されている。また、上皿部５には、遊技機１の内部から遊技球を排出するための排出口５ｃが開設されている。左端には、複数の長孔を有するスピーカー面５ａが形成され、その裏面には、音量スイッチ基板１２（図４参照）が設けられている。遊技機１の左端側には、プリペイドカードユニット１３（ＣＲユニット）が装着されている。
【００７２】
また、上皿部５の奥（裏側）にはファール球センサ１９７（図８及び図２２参照）が設けられ、これは発射装置ユニット８（図２参照）から発射された遊技球が、遊技領域１１まで達せず、外レール１０ｃ（図２２参照）から下皿部６に戻ってきた遊技球（ファール遊技媒体）を検知するためのセンサである。さらに上皿部５の奥（裏側）には槌先球検知スイッチ９４（図８及び図２２参照）及び球送りカウントスイッチ９５（図８及び図２２参照）が設けられ、これらは発射された遊技球又は上皿部５から発射装置ユニット８（図２参照）に送られた遊技球をそれぞれ検知（計数）するためのスイッチであり、該スイッチ９４,９５からの検知情報及び／又はファール球センサ１９７からの検知情報により、遊技領域１１に発射された発射球数（有効発射球数）が１６個とカウントされた場合には、１ゲーム（単位遊技）の終了となる。
【００７３】
次に、前面部に形成される遊技盤１０の表面構造について説明する。遊技盤１０は、略長方形の木製の板状体であって中枠３に保持されるとともに、裏機構盤１０２（図２参照）によりその背面側が覆われている。遊技盤１０には、遊技盤１０の表面に設けられた外レール１０ｃと内レール１０ｄとにより略円形状の遊技領域１１が形成され、遊技領域１１内には、始動検知装置としての誘導図柄作動ゲート１６と、可変表示装置としての誘導図柄表示装置１７と、第１変動入球装置として役物作動口（特定入球口）２１と、遊技球を特定入球領域としての誘導増加装置作動領域１９ａへ誘導可能な誘導装置（誘導役物又は振分装置とも言う）２０ａと、役物作動用検知装置としての役物誘導装置作動ゲート２６と、第２変動入球装置としての役物作動口（得点増加装置作動口）２３と、１６個の入球領域が相互隣接して配置された１６連入球口２４と、１６連入球口２４の各入球領域に該当する識別情報を点灯表示する入球図柄表示装置（識別情報表示装置）２５と、多数の障害釘（図示略）等が配設されている。
【００７４】
誘導図柄作動ゲート１６は、遊技領域１１の中央から左半面側の上方に配置され、内部に誘導図柄作動口入球（ゲート通過）検知スイッチ１６ｄ（図３参照）を備えている。この入球検知スイッチ１６ｄにおいて遊技球が検知されると、誘導図柄表示装置１７において複数の図柄の可変表示が開始される。
【００７５】
誘導図柄表示装置１７は、遊技領域１１の中央よりも左半面側で前記誘導図柄作動ゲート１６の下側に配置され、例えば３つの表示領域、すなわち左図柄表示領域、中図柄表示領域、右図柄表示領域（図示略）を備え、それぞれ複数の図柄を可変停止表示することが可能とされている。誘導図柄表示装置１７において、例えば、図柄が「７、７、７」の３桁同一図柄で揃って停止表示（確定表示）すると、役物誘導装置が作動し、役物作動口（特定入球口）２１が開放される。なお、役物誘導装置は主制御部１４０（図３参照）を主体として構成され、役物作動口（特定入球口）２１又は役物作動口（得点増加装置作動口）２３の状態を変化させる特別の装置を言う。
【００７６】
役物作動口（特定入球口）２１は、遊技領域１１の中央上部に配置されており、一対の可動片２１ａ，２１ｂを備え、この可動片２１ａ，２１ｂが左右に作動（開放）することにより、遊技者にとって入球有利な開放状態となる。また、内部に役物作動口入球検知スイッチ２１ｃ（図７参照）を備えており、この入球検知スイッチ２１ｃにおいて遊技球が検知されると、誘導増加装置作動領域（特定入球領域）１９ａへの入球が有効となる。なお、役物作動口（特定入球口）２１に開閉板を配設し、その開閉板の遊技領域１１の前後方向への作動（開放）に基づき、役物作動口（特定入球口）２１を開放状態とすることも可能である。
【００７７】
役物作動口（特定入球口）２１に入球した遊技球は、該役物作動口（特定入球口）２１の下方に配設されたセンター役物あるいは中央装置たる誘導装置（振分装置）２０ａに誘導される。誘導装置２０ａは、いわゆるクルーンと呼ばれる凹状の役物であって、底部に３つの穴が形成され、このうち遊技盤１０に向かって手前側に形成された１つの穴が誘導増加装置作動領域（特定入球領域）１９ａで、奥側に形成された２つの穴が非作動領域（非特定入球領域：排出口とされている／作動領域外領域）１９ｂとされている。ここで、誘導増加装置作動領域１９ａに遊技球が入球し、内部に設けられた誘導増加装置作動領域通過検知スイッチ１９ｄ（図７参照）に検知されると、誘導増加装置が作動し、通常状態よりも遊技者にとって相対的に有利な特別遊技状態が発生する（特別遊技権利を取得するとも言う）。なお、誘導増加装置とは、主制御部１４０（図３参照）を主体として構成され、遊技状態を変化させる特別の装置のことを言う。
【００７８】
役物誘導装置作動ゲート２６は、遊技領域１１の中央から右半面側の上方に配置され、内部に役物誘導装置作動ゲート通過検知スイッチ２６ａ（図７参照）を備えている。上記特別遊技状態の発生中に、該作動ゲート通過検知スイッチ２６ａにおいて遊技球が検知されると、役物作動口（得点増加装置作動口）２３が開放される。
【００７９】
役物作動口（得点増加装置作動口）２３は、遊技領域１１の中央から右半面側であって上記役物誘導装置作動ゲート２６の下方に配置され、一対の可動片２３ａ，２３ｂを備え、その可動片２３ａ，２３ｂが遊技領域１１の左右方向へ作動（開放）することに基づき、遊技者にとって入球有利な開放状態となる。また、内部に役物作動口入球検知スイッチ２３ｃ（図７参照）を備え、該入球検知スイッチ２３ｃに遊技球が検知されると、入球図柄表示装置２５の所定の識別情報（概ね入球困難な入球領域に対応した識別情報）が点灯表示されるとともに、得点増加装置（賞態様増加装置）が作動する。なお、遊技領域１１の前後方向に開放可能な一枚の開閉板を配設し、その開閉板の作動に基づき、役物作動口（得点増加装置作動口）２３を開放状態とすることも可能である。
【００８０】
１６連入球口２４は、遊技領域１１の最下部に配置され、その前方側には、入球図柄表示装置（識別情報表示装置）２５が配設されている。１６連入球口２４の内部には、それぞれ１６連入球検知スイッチ２５ａ（図３参照）が設けられ、該検知スイッチ２５ａに遊技球が検知されると、その入球領域に該当する入球図柄表示装置２５の識別情報（数字ランプ）が点灯表示される。なお、遊技機１においては、遊技球１６個の発射を単位遊技として、その１６個において点灯表示された識別情報の組合せに基づき賞態様が決定される。例えば、４つの連続した数字ランプが連続して点灯表示されると得点１が付与され、該１点につき１６個の賞球又は相当数の賞メダルが払い出される。また、ＩＣカード等に得点又は賞球数若しくは賞メダル数が蓄積されるものもある。なお、入球図柄表示装置（識別情報表示装置）２５は、例えば７セグメントＬＥＤ、ドットマトリクス又は液晶（ＬＣＤ）で構成することも可能で、この場合、上記検知スイッチ２５ａに遊技球が検知されると、その入球領域に該当する入球図柄表示装置（識別情報表示装置）２５の７セグメントＬＥＤ、ドットマトリクス又は液晶（ＬＣＤ）の表示画面上において識別情報（数字）が表示される。
【００８１】
次に、本実施例の遊技機１の裏面構造について図２を参照して説明する。前面枠４（図１参照）は中枠３にあって、前面枠４の上下端の位置に設けられた一対のヒンジ１０１により、開閉可能に支持されている。裏機構盤１０２は中枠３にあって裏機構盤１０２の上下端の位置に設けられた一対のヒンジ１０３により、開閉可能に支持されている。遊技盤１０（図１参照）は中枠３の表面側に着脱可能に取り付けられている。上端側にあるヒンジ１０１の配設位置からみて左側には、タンク球切れ検知スイッチ１０４をタンク底部に備えた賞球タンク１０５と、この賞球タンク１０５に接続されるタンクレール１０６とが取り付けられている。また、タンクレール１０６の右側には、球抜きレバー１０７が設けられ、その下流側には、補給球切れ検知スイッチ１０８が、さらに、その下流側には、賞球払出装置１０９が配設されている。
【００８２】
続いて、遊技球の振り分け部１１０が賞球払出装置１０９の下流側に設けられている。タンクレール１０６の下側には、誘導図柄表示装置１７（図１参照）における表示盤（液晶表示盤又は７セグメントＬＥＤ表示盤）を格納した蓋付きの裏ケース１１１が設けられ、この裏ケース１１１の下側には、後述する主制御部１４０（図３参照）として、主制御基板３４０（図３参照）を格納した主制御基板ケース１１２が設けられている。主制御基板ケース１１２の左側には、発射制御部２０１ａ（図３参照）として発射装置制御基板２０１（図３参照）を格納した発射装置制御基板ケース１１３、及び発射制御集合中継基板１１６が設けられている。裏機構盤１０２の左下方部には、上述した発射装置ユニット８が、同じく右下方部には、賞球制御部（払出制御部）１５０（図３参照）として、補給球詰まり、下皿部満タン、主電源電圧異常、発射停止、主制御基板通信異常、賞球モータ異常などを７セグメントＬＥＤで表示する枠状態表示器１１７を備えた賞球制御基板３５０（図３参照）を格納した枠制御基板ケース（賞球制御基板ケース）１１８が設けられている。
【００８３】
一方、裏機構盤１０２の右上端部には、ヒューズボックス１１９、電源スイッチ１２０、電源ターミナル基板１２１及び大当り、発射装置制御、球切れ、扉開放、賞球、球貸し用等の遊技機枠用外部接続端子を備えた枠用外部端子基板１２２が設けられている。また、外部からの電力の供給を受けるための電源ケーブル１２３も枠用外部端子基板１２２の下側に配設されている。賞球制御基板３５０（図３参照）を格納した枠制御基板ケース１１８からは接続ケーブル１２４が上方へ延出し、電源ケーブル１２５を備えたプリペイドカードユニット（ＣＲユニット）１３に接続されている。また、裏機構盤１０２の略中央下端部には、下皿部用球通路部材１２６が設けられている。
【００８４】
次に、本実施例の遊技機１の電子制御装置１３０について、図３を参照して説明する。まず、電子制御装置１３０は、主制御部（遊技制御部）１４０と、その主制御部１４０に接続された賞球制御部（払出制御部）１５０、図柄表示装置制御部（図柄制御部）１６０、ランプ出力装置制御部（ランプ制御部）１７０及び音声出力装置制御部（音声制御部）１８０を含んで構成されている。主制御部１４０は、主制御基板３４０を備え、主制御部１４０以外の上記４つの制御部１５０，１６０，１７０，１８０はそれぞれ副制御部として構成され、副制御基板たる賞球制御基板（払出制御基板）３５０、図柄表示装置制御基板３６０、ランプ出力装置制御基板３７０、音声出力装置制御基板３８０を備えている。
【００８５】
主制御基板３４０は、図１４に示すＣＰＵ４０１を含み、該ＣＰＵ４０１はＣＰＵコア４８０を備え、ＲＯＭ４８２に格納された制御プログラムにより、ＲＡＭ４８１をワークエリアとして遊技機１全体の作動制御（すなわち、遊技の基本進行制御）を司る。また、ＲＯＭ４８２に記憶された当否判定プログラムにより、ＣＰＵ４０１が主体となって当否判断制御等を行う（当否判定手段）。
【００８６】
図３に戻り、主制御部１４０は、各副制御部１５０，１６０，１７０，１８０へ処理内容を指示する、指令信号たるコマンドデータを送信する。なお、主制御部１４０から各副制御部１５０，１６０，１７０，１８０へは、一方向形式でデータが伝送される。また、各制御部１４０〜１８０には、主電源１２９と接続された電源受電基板１２８から電源ユニット１２７、さらには電源中継基板１２１を介して電源が供給されており、後述する電源立上げ時のシステムリセット信号が電源中継基板１２１を介して全制御部に送信される。
【００８７】
また、主制御部１４０には１６連スイッチ中継基板３１、中継基板２００、誘導図柄作動口入球（ゲート通過）検知スイッチ１６ｄ、枠用外部端子基板１２２、枠中継基板２００ｂが接続されている。１６連スイッチ中継基板３１には１６連入球検知スイッチ２５ａが接続され、該１６連入球検知スイッチ２５ａからの検知信号が主制御部１４０に送信される。なお、主制御部１４０には、遊技機外部の試験装置（検査装置）８０７に遊技情報（制御情報を含む）を出力するための情報出力部（図示略）が設けられている。具体的には、図２０に示すように、主制御基板３４０には遊技情報出力回路部３４７と変換回路部３４１と出力コネクタ３４２とが設けられている。遊技情報出力回路部３４７から出力される遊技情報は、変換回路部３４１にて試験装置８０７が読取り可能な情報に変換され、その変換された遊技情報がコネクタ３４２を介して試験装置８０７に出力される。この場合、試験装置８０７からのハーネスをコネクタ３４２に接続するのみで、当該主制御部１４０の制御内容を試験装置８０７に出力可能とされている。なお、図２１に示すように、主制御基板３４０と試験装置８０７との間を中継する中継基板３４４を当該遊技機１に設けることもできる。この場合、主制御基板３４０のコネクタ３４３と、中継基板３４４のコネクタ３４６とが接続され、中継基板３４４のコネクタ３４５に試験装置８０７からのハーネスが接続される。遊技情報は、主制御基板３４０の遊技情報出力回路部３４７からコネクタ３４３を介して、変換回路部としての中継基板３４４に出力され、該中継基板３４４にて試験装置８０７が読取り可能なフォーマットに変換されるとともに、該中継基板３４４から試験装置８０７に出力される。
【００８８】
図３に戻り、中継基板２００には、図７に示すように、役物作動口入球検知スイッチ２１ｃ、誘導増加装置作動領域通過検知スイッチ１９ｄ、役物誘導装置作動ゲート通過検知スイッチ２６ａ、役物作動口ソレノイド２１ｄ、役物作動口（得点増加装置作動口）入球検知スイッチ２３ｃ、役物作動口（得点増加装置作動口）ソレノイド２３ｄ、盤用外部端子基板３２、誘導増加装置非作動領域通過検知スイッチ１９ｅが接続されている。役物作動口ソレノイド２１ｄは、役物作動口（特定入球口）２１の可動片２１ａ，２１ｂ（図１参照）を開閉するためのソレノイドである。役物作動口（得点増加装置作動口）ソレノイド２３ｄは、役物作動口（得点増加装置作動口）２３の可動片２３ａ，２３ｂを開放するためのソレノイドである。盤用外部端子基板３２は、各種検知スイッチデータ等を当該遊技機外部に出力するための端子基板である。
【００８９】
図３に戻り、枠用外部端子基板１２２には、賞球制御部（払出制御部）１５０、タンク球切れ検知スイッチ１０４及びドアスイッチ２０２等が接続されている。枠中継基板２００ｂには、図８に示した補給球切れ検知スイッチ１０８、賞球計数センサ１９８、下受け皿満タンスイッチ１９９、ファール球センサ１９７、球送りカウントスイッチ９５、槌先球検知スイッチ９４、球貸し計数センサ１９２等が接続されている。なお、補給球切れ検知スイッチ１０８はタンクレール１０６（図２参照）と賞球払出装置１０９（図２参照）間の球切れを検知するためのスイッチ、賞球計数センサ１９８は払い出された賞球数を計数するためのセンサ、下受け皿満タンスイッチ１９９は下皿部６（図１参照）の下受け皿が満タンになったことを検知するためのスイッチ、ファール球センサ１９７は発射装置ユニット８（図２参照）から発射された遊技球が、遊技領域１１（図１参照）まで達せず、外レール１０ｃ（図２２参照）から下皿部６（図２２参照）に戻ってきた遊技球を検知するためのセンサである。また、球送りカウントスイッチ９５は球送りソレノイド９１（図１６参照）により上皿部５から発射装置ユニット８（図２参照）の発射位置（発射モータ９３の槌先位置に該当する（図２２参照））に送られた遊技球をカウントするためのスイッチ、槌先球検知スイッチ９４は上記発射位置にある遊技球を検知するためのスイッチ、球貸し計数センサ１９２はＣＲユニット（プリペイドカードユニット）１３を利用して貸し出された球数を計数するためのセンサである。
【００９０】
賞球制御部（払出制御部）１５０は、主制御部１４０と同様のＣＰＵ６０１（図１４参照）を含んで構成され、メモリクリアスイッチ基板１９１、ＣＲユニット（プリペイドカードユニット）１３、賞球流路切替ソレノイド１９４、ＣＲ操作基板１９５、賞球モータセンサ基板１９６、発射装置制御基板２０１等が接続されている。メモリクリアスイッチ基板１９１は、電源投入時に残存している各種データを全てクリアするためのスイッチ基板であって、賞球流路切替ソレノイド１９４は賞球払出装置１０９における球貸しと賞球払出しの流路を切り替えるためのソレノイドである。また、ＣＲ操作基板１９５はＣＲユニット（プリペイドカードユニット）１３との間で、球貸し、カード残り数等の信号を入出力するための基板で、賞球モータセンサ基板１９６は賞球払出しに係る賞球モータ２９７の動作状態を検知するためのセンサ基板である。
【００９１】
発射装置制御基板２０１には、図１６に示すように、球送りソレノイド中継基板９２、発射モータ（打撃装置）９３、発射停止スイッチ９ｂ、発射ハンドル９が接続されている。球送りソレノイド中継基板９２には球送りソレノイド（送り装置）９１が接続され、上皿部５（図１参照）に貯留された遊技球を１個ずつ発射位置に送り込むためのものである。発射モータ９３は、発射位置に送り込まれた遊技球を遊技領域１１（図１参照）に打ち込むための打撃装置たる発射ハンマ９３ａ（図３４参照）を稼働させるモータである。
【００９２】
図３に戻り、図柄表示装置制御部１６０は、演算回路構成要素（図示略）として、ＣＰＵと、ＲＡＭと、ＲＯＭと、入出力ポートと、ＶＤＰ（ビデオディスプレイプロセッサ）とを含み、それら演算回路構成要素はバスにより相互に接続して構成され、入出力ポートにおいて主制御部１４０に接続されている。図柄表示装置制御部１６０には、図６に示すように、表示盤を備える誘導図柄表示装置基板１７ｄが接続され、ＣＰＵはＲＯＭに格納された制御プログラムにより、ＲＡＭをワークエリアとして誘導図柄表示装置（表示盤）１７の作動制御（すなわち、表示装置の表示制御）を行っている。入球図柄表示装置２５の表示制御は、主制御部１４０が担うことも、図柄表示装置制御部１６０で行うことも可能である。この場合、入球図柄表示装置基板２５ｄが接続され、入球図柄表示装置２５の表示制御が行われる。
【００９３】
ランプ出力装置制御部１７０は、図柄表示装置制御部１６０と同様の演算回路構成要素（ＣＰＵ，ＲＯＭ，ＲＡＭ，入出力ポート等）を含んで構成され、入出力ポートにおいて主制御部１４０に接続されている。ランプ出力装置制御部１７０には、図５に示すように、電飾中継基板１７１ａ、各種ＬＥＤ基板、得点表示灯基板２９ａ等が接続されている。電飾中継基板１７１ａには、遊技効果ランプ基板４ｇ、賞球表示ＬＥＤ基板４ｄ等が接続され、さらに賞球表示ＬＥＤ基板４ｄには、ストップ表示ＬＥＤ基板４ｆ等が接続され、得点表示灯基板２９ａには、得点表示装置２９（図１参照）が接続されている。これらのランプ等はゲームの進行に対応して点灯・消灯又は点滅し、遊技効果を高めている。
【００９４】
音声出力装置制御部１８０は、図柄表示装置制御部１６０と同様の演算回路構成要素（ＣＰＵ，ＲＯＭ，ＲＡＭ，入出力ポート等）及びサウンドジェネレータ（図示略）を含んで構成され、入出力ポートにおいて主制御部１４０に接続されている。音声出力装置制御部１８０には、図４に示すように、音声中継基板２０３が接続され、該音声中継基板２０３に接続された音量スイッチ基板１２は、図示しない音量スイッチの操作に伴い、出力音量の設定を行うもので、スピーカー４００ａから遊技の進行に対応して各種サウンド、音声等が出力される。
【００９５】
さらに、遊技効果ランプ基板４ｇ等の各種ランプや音声出力装置制御基板３８０に搭載されたサウンドジェネレータは、図柄表示装置制御部１６０の制御による図柄の可変・停止表示態様、リーチ発生の有無、リーチ表示態様、特別遊技態様、及び遊技モード等に応じてその態様は制御される。その制御指令の指令信号は、ランプ出力装置制御部１７０あるいは音声出力装置制御部１８０を作動指令対象とする指令信号として、主制御部１４０から一方向に送信される。
【００９６】
なお、上述した図柄表示装置制御部１６０、ランプ出力装置制御部１７０及び音声出力装置制御部１８０は、主制御部１４０や賞球制御部１５０と同様の回路部から構成されるものとすることもできる。すなわち、図１４に示したような内部にＲＯＭ、ＲＡＭが内蔵されたＣＰＵを用いることもできる。
【００９７】
次に、図３に示した電子制御装置１３０における電源供給経路について説明する。図１８は、電子制御装置１３０（図３参照）の電源部における基板接続レイアウトの一例を示す回路図である。電子制御装置１３０（図３参照）は、電源受電基板１２８において電源ケーブル５０１により交流電圧（ＡＣ２４Ｖ）を受電する。この交流電圧は、電源受電基板１２８内にてコネクタ４１３とコネクタ４１４とに分配される。コネクタ４１３には、変圧供給用ケーブル５０３が接続され、交流電圧が電源ユニット１２７に供給される。また、コネクタ４１４には、交流電圧供給用ケーブル５１４が接続され、交流電圧（賞球モータ２９７駆動用）が賞球制御基板３５０（図３参照）に供給される。なお、電源受電基板１２８には、過電流保護のため受電電圧を遮断する電源ヒューズ４１６と、プリペイドカードユニット（ＣＲユニット）１３（図１参照）へのＡＣ２４Ｖの供給を遮断するヒューズ４１７が取り付けられている。
【００９８】
電源受電基板１２８からの交流電圧は、コネクタ４１３から変圧供給用ケーブル５０３により、電圧変換部（図示略）を備えた電源ユニット１２７に分配される。電源ユニット１２７には、変圧供給用ケーブル５０３が接続される入力コネクタ４２１が形成される一方、各変換電圧の出力端子（１，２，３，６）、接地端子（４，５）及びバックアップ端子（７，８）を含んだ出力コネクタ４２２が設けられている。なお、図１８に示す出力コネクタ４２２では２４Ｖの出力端子を１個のみ描いているが、実際はＤＣ用と脈流用との２つの２４Ｖ端子が形成されている。また、バックアップ端子は８番端子がＤＣ５Ｖ用の電圧変換部（図示略）の接地端子と共通結線され、７番端子との間にまたがるように蓄電手段（バックアップ用電力供給手段）としてのコンデンサ４２３が接続されて、ＤＣ５Ｖのバックアップ電圧が該７番端子から出力されるようになっている。
【００９９】
電源ユニット１２７の出力コネクタ４２２は、ケーブル５０４により電源中継基板１２１の入力コネクタ４３３に接続され、電源ユニット１２７にて変換・生成された各種電源電圧が供給されるようになっている。そして、電源中継基板１２１には、パチンコ機１の各種遊技装置の作動を司る複数の制御基板、ここでは主制御基板３４０、賞球制御基板３５０、図柄表示装置制御基板３６０、ランプ出力装置制御基板３７０、音声出力装置制御基板３８０及び発射装置制御基板２０１を接続するために、各基板にて使用される電源電圧の出力端子を一まとめとした基板側コネクタ４３４が、各基板に対応して設けられており、各端子に入力コネクタ４３３からの電源電圧及びバックアップ電圧が分配されるようになっている。なお、図面上では便宜上、一つのコネクタ４３４を示したが、実際は各制御基板にそれぞれ対応して、電源中継基板１２１にはコネクタが複数設けられている。また、バックアップ電圧は、本実施例の場合、遊技球の流通に直接的に関連する、すなわち遊技者の利益に直接的に関連する主制御基板３４０及び賞球制御基板３５０に供給される。
【０１００】
ここで、基板側コネクタ４３４は全て予備端子部を有さない構成となっており、対応する基板に向かう配線が、形成された全ての端子部に接続されている。具体的には、基板側コネクタ４３４は、各電源電圧の出力端子及び接地端子のみ、又は各電源電圧の出力端子、接地端子及びバックアップ電源用端子のみを含むものとされている。電源系統の設計変更等に柔軟に対応するためには、新たな電源電圧端子の増設を容易とするために、予備端子部を形成しておくと便利な場合もあるが、上記のように予備端子部を敢えて形成せず、全ての端子を過不足なく使用し尽くす構成とすることで、予備端子を利用した不正操作を効果的に防止することができる利点が生ずる。
【０１０１】
次に、図１９は、上述の電源ユニット１２７について電源監視モジュール５５３を含む内部構成の一例を示す回路図である。まず、電源受電基板１２８からの出力電圧は、電源ユニット１２７内の定電圧回路部５５２にてＤＣ５Ｖ等に整流・平滑化されて、例えば賞球制御部１５０（主制御部１４０）の電源端子ＶCCに入力される一方、補助電源回路（蓄電手段）５５６を介してバックアップ端子に接続されている。この補助電源回路５５６は、停電等による電源受電基板１２８からの電力供給の遮断等により、定電圧回路部５５２からの電力供給が途絶えるか、あるいは出力電圧が所定値以下に降下した場合に、ＲＡＭ６８１，４８１を備えたＣＰＵ６０１，４０１（図１４参照）に必要な作動電圧を確保するためのものである。ここでは、出力電圧維持用の蓄電手段、具体的にはコンデンサ（バックアップ用蓄電手段）５５７が補助電源回路５５６の主体をなしている。なお、定電圧回路部５５２から電源端子ＶCCへの途上にはコンデンサ（補償用蓄電手段）５５７ｂが設けられ、電源供給の遮断時等に、このコンデンサ５５７ｂにより補助電源回路５５６からのバックアップ電圧が供給されるまでの間の電圧供給が補償される。また、コンデンサ５５７ｂの容量は、後述するバックアップ処理が完了するまでの間は少なくとも、ＲＡＭ６８１，４８１を含むＣＰＵ６０１，４０１（図１４参照）の作動を確保できる程度に設定されていることが望ましい。
【０１０２】
コンデンサ５５７は、定電圧回路部５５２からＶCCへの電力供給線に対して並列に接続されており、常時はダイオード５５８を経て定電圧回路部５５２から電力供給を受けることにより充電状態を維持している。そして、電力供給が途絶えた場合は、コンデンサ５５７がダイオード５５８により逆流防止されつつ放電し、ＲＡＭ６８１，４８１を含むＣＰＵ６０１，４０１（図１４参照）に作動電圧を供給する。なお、コンデンサ５５７の容量は、電断時のバックアップ処理から復帰処理に至る一連の処理が完了するまでの間は少なくとも、ＲＡＭ６８１，４８１の作動を確保できる程度に設定されていることが望ましい。また、補助電源回路５５６は、コンデンサ５５７に代えて電池（この場合、一次電池、二次電池のいずれでもよい）５５７ａを用いて構成してもよい。
【０１０３】
一方、定電圧回路部５５２からの出力電圧ＶXは、異常検出手段（ここでは、電源遮断検出手段）として機能するコンパレータ５６９に分岐入力され、ここで電圧監視基準信号５６７の電圧レベルＶSと比較される。ＶSは、定電圧回路部５５２の所定の端子からの出力電圧（例えば１２Ｖ）で、例えばＣＰＵ６０１，４０１（図１４参照）の安定した作動が不能となる下限の電圧レベルに対応して設定することができる。常時はＶX＞ＶSであり、コンパレータ５６９の出力は第一状態（ここではＬレベル）となっているが、停電等によりＶX＜ＶSになると、コンパレータ１６９の出力は前記した第一状態と異なる第二状態（ここではＨレベル）となる。
【０１０４】
そして、このコンパレータ５６９の出力は、電源遮断信号（異常検出信号）の出力手段であるＡＮＤゲート５７０（異常確定情報生成手段）の一方の端子に入力される。そして、ＡＮＤゲート５７０の他方の端子には、電源遮断信号発生用基準信号５６８が入力されている。この電源遮断信号発生用基準信号５６８は、前記したコンパレータ５６９の第二状態に対応する電圧レベルＶYを有する（ここでは便宜的にＶS＝ＶYとしている）。従って、コンパレータ５６９の出力が前記した第二状態になった場合にのみ、ＡＮＤゲート５７０は電源遮断信号ＶKを出力し（ここではＬレベル）、これがＣＰＵ６０１，４０１（図１４参照）の割込端子に入力される。
【０１０５】
コンパレータ５６９及びＡＮＤゲート５７０の作動電圧は、定電圧回路部５５２（出力：＋１２Ｖ）により供給されている。なお、ＡＮＤゲート５７０の作動電圧は＋５Ｖなので、分圧抵抗５７０ａ、５７０ｂからなる調整部５７０ｃ（ＤＣ−ＤＣコンバータ等であってもよい）により電圧調整されている。また、前記した電圧監視基準信号５６７及び電源遮断信号発生用基準信号５６８も定電圧回路５５２により作られる（電圧レベルは分圧抵抗５６３、５６４からなる調整部５６０により調整されている）。なお、停電時には定電圧回路５５２からの電力供給も途絶えるので、ダイオード５６２とコンデンサ５６１を有する、補助電源回路５５６と同様の構成の基準信号用補助電源回路５５９が設けられている。
【０１０６】
本実施態様においては、停電等の電断発生時には、上記蓄電手段からの補助電力の供給により、ＲＡＭ６８１，４８１（図１４参照）内に遊技態様を成立させるための遊技媒体情報が記憶・保持（バックアップ）されることとなる。例えば、異常発生時にＣＰＵ６０１，４０１（図１４参照）がＮＭＩ割込み信号を受けると、ＣＰＵ６０１，４０１（図１４参照）のレジスタに書き込まれている遊技態様を成立させるための制御プログラム情報が、該ＣＰＵ６０１，４０１（図１４参照）の制御に基づいてＲＡＭ６８１，４８１（図１４参照）に移管され、該制御プログラム情報が記憶・保持（バックアップ）される。また、異常発生時のＲＡＭ６８１，４８１（図１４参照）に記憶されている遊技情報も、該ＲＡＭ６８１，４８１に記憶・保持される。
【０１０７】
なお、電源受電基板１２８からのＡＣ２４Ｖ等、その他の電圧レベル値を監視し、該電圧レベルが所定値よりも低下した場合に、上記バックアップ電圧を供給する構成とすることも可能である。これら監視する電圧値、電断信号（ＮＭＩ割込み信号）を変化させるタイミングは、バックアップの対象とする制御部に応じて種々変更することが可能である。例えば、上述の賞球モータ２９７（図３参照）に対して余分な払出しを防止するためには、該モータ２９７の駆動電圧を参照して決定することが可能である。また、払出しに要する時間を考慮して、電断信号及びシステムリセット信号を変化させるタイミングを決定することが可能である。
【０１０８】
図１８に示した電源ユニット１２７の変形例について説明する。図２７に示した電源ユニット４２０においては、入力交流電圧（ＡＣ２４Ｖ）は以下の手順にて変換出力される。なお、電源ユニット４２０には、入出力コネクタ４２１，４２２としてＣＮ１〜ＣＮ４が設けられている。
まず、電源受電基板４１０から入力される交流電圧は、例えばダイオード等の整流回路素子を備えた整流回路７６０ａにおいて整流される（例えば上記ダイオードブリッジ５７４等による全波整流）。整流された電圧は、脈流（２４Ｖ）として例えばコネクタＣＮ２の１０番端子から副制御基板（賞球制御基板３５０、図柄制御基板３６０、ランプ制御基板３７０、音声制御基板３８０）に出力することが可能である。なお、この脈流電圧は、供給先の各制御基板において種々の目的に応じて平滑化することが可能で、コンデンサ又は三端子レギュレータ等により平滑化可能である。例えば、抵抗フィラメントを含む発光装置、例えばランプ制御基板においてランプ類の点灯駆動用に使用する場合には、そのまま脈流電圧を用いることが可能で、発射制御基板において発射装置用トルクモータの駆動用に使用する場合には、該発射制御基板において脈流を平滑化して、安定な直流電圧を用いることが可能である。
【０１０９】
また、電源受電基板４１０から入力され、整流回路７６０ｂにおいて整流された電圧は、上記と同様の三端子レギュレータを備えた降圧型チョッパレギュレータＩＣ７６３にて変圧・安定化された後、再び整流回路素子及び平滑化回路素子を含む整流・平滑化部（平滑フィルタ）７６４において整流・平滑化され、ＤＣ１２Ｖ−Ａとして出力される。なお、このＤＣ１２Ｖ−Ａは、例えばコネクタＣＮ２の８番端子から電源中継基板１２１（図１８参照）を介して、図柄制御基板３６０、ランプ制御基板３７０、音声制御基板３８０に出力されるものとされている。
【０１１０】
また、電源受電基板４１０から入力され、整流回路７６０ｃにおいて整流された電圧は、さらに整流された後、ＤＣ３２Ｖとして例えばコネクタＣＮ２の９番端子から副制御基板（賞球制御基板３５０、図柄制御基板３６０、ランプ制御基板３７０、音声制御基板３８０）に、またコネクタＣＮ４の４番端子から主制御基板３４０に出力される。同じく整流回路７６０ｃにおいて整流された電圧は、一方で上記と同様の三端子レギュレータを備えた２出力チョッパレギュレータＩＣ７６５にて変圧・安定化された後、再び整流回路素子及び平滑化回路素子を含む整流・平滑化部（平滑フィルタ）７６４において整流・平滑化され、ＤＣ１２Ｖ−Ｂ及びＤＣ５Ｖとして例えばコネクタＣＮ２の７番及び４番、５番端子から副制御基板（賞球制御基板３５０、図柄制御基板３６０、ランプ制御基板３７０、音声制御基板３８０）に、またコネクタＣＮ４の３番及び２番端子から主制御基板３４０に出力される。なお、このＤＣ１２Ｖ−Ｂは、主制御基板３４０、枠制御基板３５０、発射制御基板２０１に出力されるものとされており、ＤＣ５Ｖは主制御基板３４０及び副制御基板（賞球制御基板３５０、図柄制御基板３６０、ランプ制御基板３７０、音声制御基板３８０）に出力されるものとされている。なお、ＤＣ５Ｖの出力は、電源遮断時において、内蔵ＲＡＭ４８１及び６８１（図１４参照）の内容をバックアップするための電圧供給を補償するために、電気二重層コンデンサ等を含むバックアップ回路７６９を介してＣＮ２の３番端子に出力されている。
【０１１１】
次に、電源受電基板４１０から入力され、整流回路７６０ｃにおいて整流された電圧は、電断検知回路７７１に出力される。この電断検知回路７７１は、電源電圧の監視を行う回路であって、出力される電源電圧が一定値以下となった場合に、電断信号を出力する回路部である。この電断信号は、出力バッファ７７２からフィルタ７７３を介して、コネクタＣＮ３の２番端子から主制御基板３４０及び賞球制御基板３５０に出力される。主制御基板３４０及び賞球制御基板３５０に電断信号が入力されると、該主制御基板３４０及び賞球制御基板３５０はバックアップ処理を行うものとされている。
【０１１２】
また、電断検知回路７７１はメモリクリア信号を出力する。このメモリクリア信号は、電源投入時に主制御基板３４０及び賞球制御基板３５０のＲＡＭ４８１及び６８１（図１４参照）の内容を消去（クリア）するための信号である。具体的には、電源投入時のみに有効とされるメモリクリアスイッチ（電源ユニット４２０に設けられている（図示略））を人為的に押しながら、電源を投入することによりメモリクリア信号が生成され、ＣＮ３の１番端子から主制御基板３４０及び賞球制御基板３５０に出力される。
【０１１３】
一方、電断検知回路７７１は副制御基板（賞球制御基板３５０、図柄制御基板３６０、ランプ制御基板３７０、音声制御基板３８０）用のシステムリセット信号を出力する。すなわち、本実施例においては、主制御基板用のシステムリセット信号は主基板電源制御部８７０にて生成され、該主制御部用のシステムリセット信号と副制御基板（賞球制御基板３５０、図柄制御基板３６０、ランプ制御基板３７０、音声制御基板３８０）用のシステムリセット信号が異なる回路部にて生成されるとともに、異なるコネクタ及び信号線を介して出力される。この副制御基板（賞球制御基板３５０、図柄制御基板３６０、ランプ制御基板３７０、音声制御基板３８０）用のシステムリセット信号は、電源投入時に各副制御基板３５０〜３８０にコネクタＣＮ３の３番端子から出力されて、該副制御基板３５０〜３８０にて初期化が行われる。その後、主制御基板用のシステムリセット信号が、主基板電源制御部８７０から出力されて主制御基板３４０の初期化が行われる。
【０１１４】
次に、主制御基板（主基板）３４０への電源電圧の出力は、各副制御基板（賞球制御基板３５０、図柄制御基板３６０、ランプ制御基板３７０、音声制御基板３８０）への電源電圧の出力が行われた後に行われるものとされている。このような出力制御は、具体的には、図２７に示す主基板電源制御部（主制御基板電源制御部）８７０により行われている。この主基板電源制御部８７０は、主制御基板３４０への電源電圧の出力を制御するものであって、各副制御基板（賞球制御基板３５０、図柄制御基板３６０、ランプ制御基板３７０、音声制御基板３８０）からの信号に基づいて主制御基板３４０に対して電源電圧を供給するものとされている。すなわち、各副制御基板（賞球制御基板３５０、図柄制御基板３６０、ランプ制御基板３７０、音声制御基板３８０）に電源電圧が供給され、該副制御基板（賞球制御基板３５０、図柄制御基板３６０、ランプ制御基板３７０、音声制御基板３８０）における制御（作動）が開始された場合に当該副制御基板（賞球制御基板３５０、図柄制御基板３６０、ランプ制御基板３７０、音声制御基板３８０）から出力される作動生起信号（起動信号）が主基板電源制御部８７０に入力された場合に、主制御基板３４０に対して電源電圧を供給するものとされている。副制御基板（賞球制御基板３５０、図柄制御基板３６０、ランプ制御基板３７０、音声制御基板３８０）においては、電源電圧が供給されて、その制御が開始された場合に作動生起信号を出力する作動生起信号出力手段（各副制御部のＣＰＵ）が設けられ、該作動生起信号出力手段にて出力された作動生起信号は、中継基板１２１（図１８参照）を介して電源ユニット４２０のコネクタＣＮ４の５〜８番端子に入力される。なお、該作動生起信号は電源ユニット４２０に直接入力されるものとすることも可能である。
【０１１５】
主基板電源制御部８７０は、図２８に示すように、ＡＮＤゲート（論理回路）８７１と、リレー（継電器）８７２を備えている。コネクタＣＮ４の５〜８番端子（図２７参照）に入力された各副制御基板（賞球制御基板３５０、図柄制御基板３６０、ランプ制御基板３７０、音声制御基板３８０）からの作動生起信号は、ＡＮＤゲート（論理回路）８７１に入力され、全ての入力がＨレベルとなった場合に、ＡＮＤゲート（論理回路）８７１からＨレベル信号がリレー８７２に対して出力されて、リレー８７２が作動する。リレー８７２の作動により、主基板電源制御部８７０に供給される各電源電圧（５Ｖ，１２Ｖ−Ｂ，３２Ｖ）が通電され、これに基づいてリセットＩＣ８７３にてシステムリセット信号が生成されるとともに、該システムリセット信号が主制御基板３４０に出力されて主制御基板３４０の制御が初期化される。さらに各電源電圧（５Ｖ，１２Ｖ−Ｂ，３２Ｖ）が主制御基板３４０に出力され、該主制御基板３４０の制御（作動）が開始される。
【０１１６】
また、主基板電源制御部８７０としては、図２９に示すようにＣＰＵ８７７を主体として構成し、該ＣＰＵが副制御基板（賞球制御基板３５０、図柄制御基板３６０、ランプ制御基板３７０、音声制御基板３８０）からの作動生起信号に基づき、主制御基板３４０への電源電圧を出力する構成とすることも可能である。すなわち、各副制御基板（賞球制御基板３５０、図柄制御基板３６０、ランプ制御基板３７０、音声制御基板３８０）からの作動生起信号は、Ｉ／Ｏポート８７５及びデコード回路８７６を介してＣＰＵ８７７に入力され、該入力に基づいてＣＰＵ８７７は、リレー８７２に作動指令信号を出力するものとすることができる。
【０１１７】
このような図２８，２９に示した主基板電源制御部８７０を設けることにより、副制御基板（賞球制御基板３５０、図柄制御基板３６０、ランプ制御基板３７０、音声制御基板３８０）における制御の起動が主制御基板３４０の制御の起動よりも早くなり、主制御基板３４０からの制御信号を取りこぼす等の不具合が生じ難くなる。なお、本実施例においては、主制御部１４０の制御が開始されると、後述する動作開始許可信号（図２３参照）が賞球制御部１５０に送信されるものとされている。また、主基板電源制御部８７０を設けることなく、主制御基板３４０と副制御基板（賞球制御基板３５０、図柄制御基板３６０、ランプ制御基板３７０、音声制御基板３８０）の上記不具合を解消する方法も考えられる。すなわち、電源ユニット４２０から各制御基板（主制御基板３４０、副制御基板）に出力するシステムリセット信号の共通化を行い、各制御基板に出力されるシステムリセット信号の出力タイミングを一定とする一方、主制御基板３４０にのみ遅延回路を設ける。この方法により、電源投入時に電源ユニット４２０からシステムリセット信号が出力され、主制御基板３４０にのみ遅延回路が設けられていることから、副制御基板（賞球制御基板３５０、図柄制御基板３６０、ランプ制御基板３７０、音声制御基板３８０）における制御の起動が主制御基板３４０の制御の起動よりも早くなる。
【０１１８】
次に、遊技機１の動作について、主制御部１４０のＣＰＵ４０１が実行する処理を中心にして説明する。遊技機１が起動されると、ＣＰＵ４０１は初期設定処理を実行し、その後はタイマリセットされる毎に（本実施例の場合、リセット周期は２．０４８ｍｓ）、図３１に示されるメインジョブを繰り返し実行する。
【０１１９】
図９に示すように、メインジョブにおいては、ＣＰＵ４０１はスタートスイッチチェックジョブ（Ｓ１００）として、発射ハンドル９（図１６参照）に付属しているスタート／ストップスイッチがスタート状態にされているか否か、ゲーム開始フラグがセットされているか否か、入球領域に設けられた各種入球検知スイッチ２５ａ，２３ｃ，２１ｃ（図３及び図７参照）のカウント値が１６個未満か否かの判定を行う。
【０１２０】
次にゲーム開始ジョブ（Ｓ２００）では、図１０に示すように、ＣＰＵ４０１はＳ２０１においてゲーム終了フラグは「１」か否かを判断し、肯定判断ならば、Ｓ２０２においてゲーム終了フラグを０クリアするとともに、ゲームの開始に必要な各種のフラグやタイマーに対して確認、設定あるいはクリア等の処理を行い、否定判断のときにはリターンする。なお、ゲーム終了フラグは前述の初期設定でセットされ、その後はＳ１０００の遊技終了ジョブ（図９参照）においてセットされる。
【０１２１】
図９に戻り、続く発射ジョブ（Ｓ３００）では、ＣＰＵ４０１は設定時間や発射ハンドル９（図１６参照）の操作状態を確認し、確認結果に基づいて発射装置ユニット８（図２参照）の発射モータ９３（図１６参照）のＯＮ／ＯＦＦ制御を実行する。そして、発射ジョブ（Ｓ３００）に続いて、発射数カウントジョブ（Ｓ４００）が実行され、この発射数カウントジョブ（Ｓ４００）では、球送りカウントスイッチ９５，槌先球検知スイッチ９４（図８参照）の検知情報、ファール球センサ１９７（図８参照）の信号に基づくファール球などのそれぞれの確認及び発射回数カウンタの更新が行われる。なお、主制御部１４０（図３参照）に設けられた発射回数カウンタには、球送りカウントスイッチ９５（図８参照）によってカウントされた発射球数とファール球センサ１９７（図８参照）にて検出されたファール球との差、すなわち有効発射球数が書き込まれる。また、槌先球検知スイッチ９４（図８参照）にて発射位置における遊技球の有無が検出される。
【０１２２】
ここで、発射数カウントジョブ（Ｓ４００）について実施可能な態様を説明する。まず、図３０に球送りフラグセットジョブの流れを示す。このジョブにてセットされる球送りフラグは図３１に示した発射数カウントジョブにて参照される。球送りフラグセットジョブにおいては、Ｓ４９０にて球送りカウントスイッチ９５（図８及び図２２参照）を読み込み、検知があった場合に（Ｓ４９１：ＹＥＳ）、Ｓ４９２にて球送りフラグメモリ（ＲＡＭ４８１）に球送りフラグ「１」をセットするものとされている。
【０１２３】
このようにセットされる球送りフラグを参照して、図３１に示す発射数カウントジョブが行われる。この発射数カウントジョブにおいては、槌先球検知スイッチ９４（図８及び図２２参照）からの割込信号があった場合（Ｓ４１０）に、Ｓ４１５にて上述の球送りフラグメモリ（ＲＡＭ４８１）を読み込み、球送りフラグがセットされている場合（Ｓ４２０：ＹＥＳ）、Ｓ４２５において、発射数カウンタ（有効発射球数）を＋１更新するものとされている。なお、Ｓ４３０において、上記球送りフラグが「０」にリセットされるものとされている。
【０１２４】
一方、図３２に示すような回路構成により発射数をカウントすることも可能である。すなわち、球送りカウントスイッチ９５からのパルスの立上りエッジにより出力レベルを変化させることが可能なフリップフロップ８６１（例えばＪＫフリップフロップ）からの信号と、槌先球検知スイッチ９４からのパルスの立下りエッジにより出力レベルを変化させることが可能なフリップフロップ８６２（例えばＪＫフリップフロップ）からの信号とが、ＡＮＤゲート８６３を介してＣＰＵ１４１に入力されるものとされている。この場合、ＡＮＤゲート８６３からの出力があった場合に、発射数（有効発射球数）をカウントするものとすることができる。なお、槌先球検知スイッチ９４からのパルスの立下りエッジが検出された場合、すなわちフリップフロップ８６２の出力をＣＰＵ１４１が読み込み、該出力があった場合に、両フリップフロップ８６１，８６２がリセットされるものとされている。
【０１２５】
上記のような発射数カウントの態様について、そのタイミングチャートを図３３に示す。例えば、上皿５（図１参照）に１５球の遊技球しかない場合に、該上皿５（図１参照）にある１５球目の遊技球が、球送りソレノイド９１（図１６参照）の作動により図３４に示した発射レール８８１の発射位置８８２に送られると、球送りカウントスイッチ９５から検知信号（パルス）が出力される。そして、該１５球目の遊技球は、槌先球検知スイッチ９４にて検知され、その検知信号（パルス）が出力されるとともに、発射ハンマ（打撃装置）９３ａの作動により該１５球目の遊技球が発射される。その発射によって、上記槌先球検知スイッチ９４の検知がなくなり、その検知信号（パルス）の出力がＯＦＦとなる。この場合、球送りカウントスイッチ９５からの立上りエッジが検出された場合であって、且つ槌先球検知スイッチ９４からの立下りエッジが検出された場合に、発射球数を「１５」にカウント更新するものとされている。
【０１２６】
続いて、所定時間経過後に、球送りソレノイド９１（図１６参照）が作動するが、１６球目の遊技球がないために球送りカウントスイッチ９５から検知信号（パルス）は出力されない。ここで、例えば図３５に示すように、１５球目の遊技球が発射位置８８２に戻ってきた場合には、該戻り球が槌先球検知スイッチ９４に検知され、槌先球検知スイッチ９４からの立下りエッジが検出される（図３３参照）。しかしながら、この場合、球送りカウントスイッチ９５からの立上りエッジが検出されていないため、戻り球と判断し、発射球はカウントされないものとされている。なお、該戻り球は図３４と同様に発射ハンマ（打撃装置）９３ａの作動により１５球目の遊技球として再び発射されるものとされている。
【０１２７】
図３３に戻り、１５球目が発射された後、１６球目の遊技球を上皿５に投入し、該１６球目の遊技球が球送りソレノイド９１（図１６参照）の作動により発射レール８８１の発射位置８８２に送られると（図３６参照）、球送りカウントスイッチ９５から検知信号（パルス）が出力される。そして、該１６球目の遊技球は、槌先球検知スイッチ９４にて検知され、その検知信号（パルス）が出力されるとともに、発射ハンマ（打撃装置）９３ａの作動により該１６球目の遊技球が発射される。その発射によって、上記槌先球検知スイッチ９４の検知がなくなり、その検知信号（パルス）の出力がＯＦＦとなる。この場合、球送りカウントスイッチ９５からの立上りエッジが検出された場合であって、且つ槌先球検知スイッチ９４からの立下りエッジが検出された場合であるため、発射球数を「１６」にカウント更新する。
【０１２８】
図９に戻り、発射数カウントジョブにて更新される発射回数カウンタを参照してＳ４５０の発射制御ジョブが行われる。具体的には図２６に示すように、例えば１回のゲームにおいて、有効発射球数が上限値１６未満の場合（Ｓ４５１：ＹＥＳ）は、Ｓ４５２に進んで主制御部１４０は球送りソレノイド９１（図１６参照）を作動させるべく、制御信号を賞球制御部１５０（図３参照）を介して発射制御部２０１ａに送信する。若しくはＳ４５１にて否定判断された場合、Ｓ４５３にて槌先球検知スイッチ９４（図８参照）の検知の有無を確認し、該槌先球検知スイッチ９４（図８参照）にて遊技球が検知された場合には、Ｓ４５４に進み発射モータ９３（図１６参照）のみを作動させるべく、制御信号を同様に発射制御部２０１ａに送信する。なお、上記球送りソレノイド９１と発射モータ９３の作動はそれぞれ別途制御信号を送信して行われるものとされているが、球送りソレノイド９１と発射モータ９３とを逐次的に作動させるシーケンス信号（逐次信号）を発射制御部２０１ａに送信することで、それぞれの装置を同一シーケンスで逐次的に作動させることも可能である。なお、槌先球検知スイッチ９４（図８参照）にて遊技球の検知が無い場合（Ｓ４５３：ＮＯ）は、各種入球検知スイッチ２５ａ，２３ｃ，２１ｃ（図３及び図７参照）のカウント値が１６個未満か否かの判定が行われ、１６個あった場合は当該単位遊技における発射制御が終了される。
【０１２９】
次に、当否判定用の乱数カウンタのカウント値を更新する乱数更新ジョブ（Ｓ５００）が行われる。これは、誘導図柄表示装置１７における図柄の当否判定を乱数によって行うための乱数更新ジョブであって、図１１に示すように、乱数処理として実行される乱数更新ジョブ（Ｓ５００）では、ＣＰＵ４０１は、Ｓ５０１においてＲＡＭ４８１（図１４参照）の設定エリアに設けられている乱数の値を１インクリメントさせ、続くＳ５０２において１インクリメントされた乱数の値が５０以上か否かを判断する。ここで、乱数の値が５０以上との肯定判断がなされると、Ｓ５０３で乱数の値を０クリアする処理がなされる。この後、乱数の値が５０未満との否定判断がなされたときには、リターンする。このように更新される乱数値を所定のタイミング（誘導図柄作動ゲート１６での通過検知時）で取得し、予め定められた当否決定値と比較して上記当否判定を行っている（当否判定ジョブ）。
【０１３０】
図９に戻り、続いて遊技ジョブ（Ｓ６００）が実行される。この遊技ジョブ（Ｓ６００）のサブルーチンとして図１２に示される図柄表示ジョブ（Ｓ６１０）が行われる。この図柄表示ジョブ（Ｓ６１０）では、ＣＰＵ４０１は、Ｓ６１１において役物作動口入球検知スイッチ２１ｃ（図７参照）、役物作動口（得点増加装置作動口）入球検知スイッチ２３ｃ（図７参照）、１６連入球検知スイッチ２５ａ（図３参照）等の遊技領域に設けられた各入球領域の入球検知スイッチをスキャンする。これらからの検知信号があれば、Ｓ６１２において入球図柄表示装置２５に対応する数字のランプを点灯表示させる。入球図柄表示装置２５において、例えば４つの連続した数字ランプが組合せ点灯表示すれば得点成立となり、所定数の遊技球等が払い出される。
【０１３１】
また、遊技ジョブ（Ｓ６００）のサブルーチンとして図１７に示す誘導図柄表示ジョブ（Ｓ６２０）が別途行われる。なお、誘導図柄作動ゲート１６への入球（すなわち誘導図柄作動口入球（ゲート通過）検知スイッチ１６ｄにおける検知）に基づき、上記当否判定ジョブが行われ、さらには、外れないし当りの図柄決定用乱数及びリーチ態様決定用乱数の取得が行われ、その結果がＲＡＭ４８１（図１４参照）に記憶される。まず、Ｓ６２１において、誘導図柄作動ゲート１６への遊技球の通過に基づき、誘導図柄表示装置１７において各図柄（この場合３桁の誘導図柄とする）の可変表示を開始させる。次いで、Ｓ６２２において、上記当否判定ジョブで得られた当否結果を参照し、当り判定（「１」）の場合は（Ｓ６２３：ＹＥＳ）、Ｓ６３２に進み、上記乱数により決定されたリーチ態様決定用値を読み出し、さらにＳ６３３に進み、同様に乱数により決定された大当り番号を読み出し、Ｓ６３１に進んで、例えば左図柄及び中図柄を同一図柄に揃えて所定のリーチ表示態様を経た後に、右図柄を左図柄及び中図柄と同一図柄に揃えて停止表示させ確定させる。
【０１３２】
一方、外れリーチ判定（「２」）の場合は（Ｓ６２４：ＹＥＳ）、Ｓ６２８に進み、上記乱数により決定された外れリーチ図柄番号と、外れ右図柄番号とを読み出す。そして、Ｓ６２９において、読み出した外れリーチ図柄番号と外れ右図柄番号とを比較し、それらの差異に基づき外れリーチ態様を決定する（Ｓ６３０）。具体的には、Ｓ６２９において、それらの番号の差（すなわち、例えば左図柄と右図柄との差）を算出し、その差に基づいてＲＡＭ４８１（図１４参照）に予め記憶されている外れリーチ態様メモリから外れリーチ態様データを読み出す。例えば、差が「−１」の場合（すなわち、例えば右図柄が左図柄の１つ前の図柄となる場合）、複数種類（例えば３種類）の外れリーチの中から１種が選択され（例えば、所定の乱数取得により選択することができる）、読み出される。その後、例えば、左図柄及び中図柄を同一図柄に揃えて所定のリーチ表示態様を経た後に、右図柄を他の図柄とは異なる図柄で停止表示させ確定させる。
【０１３３】
また、通常外れ判定（「３」）の場合は（Ｓ６２５）、Ｓ６２６に進み、上記乱数により決定された外れ各図柄番号を読み出し、Ｓ６２７に進んで、各誘導図柄を、相互にずれたタイミングで停止表示させ確定させる。なお、通常外れ判定の場合も、１つの図柄のみ可変表示時間を遅らせる等、表示態様を種々の態様に変化させることも可能である。
【０１３４】
このような誘導図柄表示ジョブ（Ｓ６２０）にて決定された表示態様は、対応するコマンドデータ（指令信号）として主制御部１４０から図柄表示装置制御部１６０へ所定の時間間隔をおいて出力され、図柄表示装置制御部１６０は、そのコマンドデータに基づいて任された範囲で制御態様を選択して表示制御を行う。なお、上記図柄表示装置制御部１６０に上記コマンドデータに対応して複数の表示パターンからなる表示パターン群を記憶させておき、指令信号として送信されたコマンドデータに対応する表示パターンを表示パターン群の中から選択して（乱数取得等により選択することができる）、誘導図柄表示装置１７における表示制御を、図柄表示装置制御部１６０において行うものとすることができる。
【０１３５】
図９に戻り、続いてインターバルタイマセットジョブ（Ｓ７００）が実行される。図１５に示すように、このインターバルタイマセットジョブ（Ｓ７００）では、ＣＰＵ４０１はＳ７０１においてゲーム中か否かを判断し、ゲーム中であれば肯定判断となり、Ｓ７０２において各種入球検知スイッチ２５ａ，２３ｃ，２１ｃ（図３及び図７参照）のカウント値が１６個未満か否かの判定を行う。否定判断であれば、続くＳ７０３において、インターバルタイマ（遊技確認時間）のカウント値は「０」か否かを判断し、肯定判断であれば、続くＳ７０４においてインターバルフラグを「１」にセットする。なお、Ｓ７０１，Ｓ７０３において否定判断、Ｓ７０２において肯定判断であれば、リターンする。例えば設定球である１６個目の最後の遊技球が発射されたことを球送りカウントスイッチ９５及び槌先球検知スイッチ９４（図８参照）によって検知してから一定時間経過後（例えば、５秒後）に、設定球である１６個目の最後の遊技球が遊技領域に設けられた各種入球領域に入球したことを各種入球検知スイッチ２５ａ，２３ｃ，２１ｃ（図３及び図７参照）からの検知信号によって検知してから一定時間経過後（例えば、２秒後）において、所定の時期を開始時間と設定し、その開始時間から次のゲームが開始されるまでの間がインターバル期間として定められる。
【０１３６】
図９に戻り、続いて得点演算ジョブ（Ｓ８００）が実行される。図１３に示すように、得点演算ジョブ（Ｓ８００）では、ＣＰＵ４０１はＳ８０１において、１ゲーム中に入球図柄表示装置２５における得点成立に係る組合せ表示が成立しているか否かを判断し、肯定判断であればＳ８０２に進んでその組合せに対する得点を加算する。続くＳ８０３において、得点増加装置が作動しているか否かを判断し、肯定判断であればＳ８０２で加算された得点を倍増し、否定判断であればリターンする。なお、Ｓ８０１において否定判断された場合にはＳ８０３にスキップするが、Ｓ８０３へのスキップを省略してリターンに抜けるものとしてもよい。
【０１３７】
図９に戻り、Ｓ９００では払出ジョブが実行され、得点演算ジョブ（Ｓ８００）でセットされた得点データに基づいて、賞球払出のためのデータ取得等が行われる。そして１ゲームが終了したときに、得点表示装置２９（図１参照）に１ゲームにおいて成立した得点を払出スコアとして表示し、そのゲームの得点１点につき１６個の遊技球が賞球として払出され、入球図柄表示装置２５は消灯される。ただし、得点の上限は１０点で、１０点を超える分は賞球払出の対象とされない。
【０１３８】
最後に実行される遊技終了ジョブ（Ｓ１０００）では、ＣＰＵ４０１はインターバルフラグが「１」にセットされているか否かを判断し、否定判断であれば、１６個の有効発射球数が発射された後の調整時間を経過したか否かを判断する。調整時間を経過していれば、インターバルフラグを「１」にセットし、次いでインターバルタイマをカウントアップすれば、ゲーム終了（単位遊技終了）フラグを「１」にセットしてリターンする。
【０１３９】
次に、遊技機１の遊技態様について、主に図２を参照して説明する。まず、普通遊技状態の遊技態様について説明する。遊技球が誘導図柄作動ゲート１６を通過すると誘導図柄表示装置１７が作動する。誘導図柄表示装置１７に予め定められた図柄の組合せが確定表示されると、役物誘導装置（主制御部１４０）が作動して、役物作動口（特定入球口）２１の可動片２１ａ，２１ｂが開放される。開放作動中に役物作動口（特定入球口）２１に遊技球が入球した場合、若しくは所定回数（例えば２回）の単位遊技が経過した後に開放を終了する。なお、役物作動口（特定入球口）２１に遊技球が入球すると、入球図柄表示装置２５の５番、８番が点灯表示される。この５番、８番は、１６連入球口２４の入球困難な入球口に対応している。
【０１４０】
役物作動口（特定入球口）２１に入球した遊技球は、誘導増加装置作動領域１９ａ、誘導増加装置非作動領域１９ｂ，１９ｂのいずれかに誘導される。ここで、遊技球が誘導増加装置作動領域１９ａに入球し、誘導増加装置作動領域通過検知スイッチ１９ｄ（図７参照）に検知されると、誘導増加装置（主制御部１４０）が作動し、特別遊技状態が発生する。この誘導増加装置は、最高１４回の単位遊技（１４ゲーム）まで継続して作動するものとされている。なお、各単位遊技において獲得された得点は、入球図柄表示装置２５の下方に設けられた得点表示装置２９（図１参照）にて表示される。
【０１４１】
以上が普通遊技状態にかかる遊技態様であって、誘導図柄作動ゲート１６、誘導図柄表示装置１７、役物作動口（特定入球口）２１、誘導装置２０ａ、誘導増加装置作動領域１９ａは第１の遊技態様用（特別遊技発生用）の遊技装置群として機能している。
【０１４２】
次に、特別遊技状態の遊技態様について説明する。上記誘導増加装置の作動中、すなわち特別遊技状態中に、遊技球が役物誘導装置作動ゲート２６を通過すると、役物誘導装置（主制御部１４０）が作動して、役物作動口（得点増加装置作動口）２３が所定時間開放される。該役物作動口２３へ遊技球が入球するか、当該開放したときの単位遊技が終了した場合に開放動作を終了するものとされている。役物作動口（得点増加装置作動口）２３に遊技球が入球すると、入球図柄表示装置２５の８番、９番、１２番、１３番が点灯表示されるとともに、そのゲーム（単位遊技）中に獲得した得点が２倍となる。この８番、９番、１２番、１３番は、１６連入球口２４の入球困難な入球口に対応している。この特別遊技状態は、１４回の単位遊技を上限として繰り返し行われ、該単位遊技が１４回目に達するか、誘導増加装置作動領域１９ａに遊技球が入球するかのいずれかによって終了となる。以上が特別遊技状態にかかる遊技態様であって、役物誘導装置作動ゲート２６、役物作動口（得点増加装置作動口）２３は第２の遊技態様（特別遊技状態）用の遊技装置群として機能している。なお、特別遊技状態が継続する上限を抽選によって選択するものとすることもできる。例えば、誘導増加装置作動回数判定図柄表示装置を遊技領域１１に配設し、誘導増加装置作動領域１９ａに遊技球が入球した後に該回数判定図柄表示装置にて確定表示された図柄に基づき、上記特別遊技状態の最高継続回数を決定するものとすることができる。
【０１４３】
次に、本実施例の遊技機１には、単位遊技において発射可能な遊技球数（発射上限球数：例えば１６個）の発射が行われた後、次の単位遊技に進む前に所定時間のインターバル時間が設けられている（例えば２秒）。インターバル時間の開始契機としては、例えば１６個の遊技球の発射後、全ての遊技装置が作動を終了してからとすることができる（インターバル機能）。この場合、１６個の遊技球が発射されてから遊技の終了までのインターバル時間において、該インターバル時間経過中である旨をランプ（ＬＥＤ等含む）や音声等のインターバル告知手段にて遊技者に対して知らせることが可能である。このようなインターバル告知手段としては遊技機前面に別個に表示装置を設けることや、誘導図柄表示装置（可変表示装置）１７を用いて告知を行うことも可能である。
【０１４４】
また、誘導図柄表示装置（可変表示装置）１７の作動契機は、誘導図柄作動ゲート（始動検知装置）１６へ遊技球が通過したことによるが、その通過検知時に、当該ゲームにおいて発射若しくは発射とみなされた遊技球の数（発射球数）に基づいて、誘導図柄表示装置（可変表示装置）１７に表示される変動パターン（可変表示パターン）が選択されるものとされている。変動パターン（可変表示パターン）としては、例えば図柄等が変動（可変）表示を開始してから確定表示するまでの変動表示時間（可変表示時間）が異なる幾つかのパターンを含むものとすることができる。例えば、図２５に示す変動パターン選択ジョブのように、Ｓ９５１において誘導図柄作動ゲート（始動検知装置）１６で遊技球の通過を検知すると、Ｓ９５２で当該単位遊技（１ゲーム）にて発射若しくは発射とみなされた発射球数を確認する。具体的には発射球数が所定数（例えば１０個）以上か否かを確認し、所定数未満の場合はＳ９５４において変動時間の相対的に長い変動パターンを選択する。一方、発射球数が所定数以上の場合は変動時間の相対的に短い変動パターンを選択するものとされている。このように選択された変動パターンに基づいて誘導図柄表示装置（可変表示装置）１７における変動表示（可変表示）が行われる。なお、上記変動パターン選択ジョブは主制御部１４０が主体となって行うものであるが、図柄表示装置制御部１６０が主体となって行うものとすることも可能である。また、変動パターンについて、変動時間に応じてさらに複数の変動パターンを予め記憶しておき、それぞれ発射球数に応じて選択されるものとすることが可能である。なお、上記発射若しくは発射とみなされた発射球数とは、球送りカウントスイッチ９５（図８参照）にて計数された送り球の数から、ファール球センサ１９７（図８参照）にて検知された遊技球（ファール球）の数を差し引いたものを言う。
【０１４５】
また、遊技機１にはエラー検出機能が具備されている。例えば、１回の単位遊技において、発射上限球数１６個の遊技球が発射されてから一定時間（例えば各入球装置（入球口）への入球確認時間として約５秒以上）が経過した後に、発射された全ての遊技球が入球装置（入球口）に入らなかった場合に、球掛かりエラー処理を行うものとされている。なお、発射上限球数１６個の遊技球の発射は、球送りカウントスイッチ９５（図８参照）とファール球センサ１９７（図８参照）によりカウントされる有効発射球数が１６個となり、且つ槌先球検知スイッチ９４にて遊技球が検知されてから所定時間（例えば戻り球確認時間として約２秒以上）が経過した後に該槌先球検知スイッチ９４にて遊技球が検知されない場合を、発射上限球数１６個の遊技球の発射が完了したものとすることができる。このようなエラー機能は、障害釘等により遊技球が遊技領域１１において引っ掛かっている可能性を示唆するものである。この場合のエラー処理は、遊技機１の前面部に設けられた表示装置（エラー用表示装置を用いたり、可変表示装置等を用いたりすることができる）にエラー報知を行うものとすることができ、この場合、特に１６から実際に入球した数を差し引くことにより、引っ掛かった遊技球数を算出することができ、該遊技球数を表示装置にて表示することも可能である。なお、エラー解除については、例えば遊技店の店員等により引っ掛かった遊技球をいずれかの入球装置（入球口）に入球することにより行われるものとすることができる。なお、エラー処理（エラー検出を含む）は各種スイッチ及び入球検知機構等を参照して主制御部１４０が主体となって行うものとされている。
【０１４６】
その他のエラー検出機能としては、例えば発射された遊技球の無効条件が設定されている。具体的には、遊技領域１１に発射された遊技球数は、槌先球検知スイッチ９４を参照しつつ、球送りカウントスイッチ９５（図８参照）とファール球センサ１９７（図８参照）との検知結果から差を算出することで計数可能であって、該発射された遊技球数よりも多くの遊技球数が１回の単位遊技において入球装置（入球口）に入球した場合（各入球領域の入球検知スイッチに検知された場合）に、その入球を無効とするとともに、エラー処理を行う。具体的には、当該エラーが生じた場合に各入球装置（入球口）の各種スイッチ及び入球検知機構を無効とするとともに、エラー用表示装置等によりエラー表示を行うものとすることができる。
【０１４７】
上記実施例の遊技機の賞態様として、遊技球（賞球）の払出し制御態様について説明する。当該実施例の遊技機においては、賞態様（得点）があった時点で遊技球の払出しが行われるものとされている。遊技球の払出しを行った後に役物作動口（得点増加装置作動口）２３への有効な入球が検知され、得点増加装置が作動した場合は、その作動時点において得点増加装置の作動による増加分の遊技球を払い出すものとされている。なお、この得点増加装置の作動による増加分の遊技球の払出しは、当該作動した単位遊技の１６個目の発射が終了した場合、又は１６個目の入球が検知された場合、若しくは当該作動した単位遊技の次の単位遊技が開始された場合に行うこともでき、さらには全ての遊技装置の作動終了が確認された場合に払出しを行うことも可能である。また、上記インターバル時間が終了した後に遊技球を払い出すことも可能であり、上記全ての遊技装置の作動が終了した後の所定時間（遊技確認時間）経過後に遊技球を払い出すことも可能である。
【０１４８】
次に、発射装置制御基板２０１（図１６参照）に接続された発射モータ９３は、発射位置に送り込まれた遊技球を遊技領域１１（図１参照）に打ち込むための発射ハンマを稼働させるモータであって、該モータ９３の作動を検知し外部出力させることができる。例えば、発射装置が作動中であることを検知する発射モータ検知スイッチを発射装置ユニット８（図２参照）に設け、該検知信号を主制御部１４０（図３参照）に送ることで発射装置が作動しているか否かを判断することが可能となる。また、発射モータ検知スイッチからの検知信号を試験端子３４２，３４３（図２０及び２１参照）から試験装置８０７（図３及び２０，２１参照）に出力させて、発射タイミングすなわち遊技の開始タイミングを判断することが可能となる。したがって、第三者検査機関による的確且つ迅速な試験を行うことが可能となる。
【０１４９】
なお、ここで球送りソレノイド９１を含む球送り装置の概略について図３７の正面図及び断面図を参照しつつ説明する。図３７（ａ）は、球送りソレノイド９１がＯＦＦとなり、球送り弁９９が上皿５（図１参照）からの遊技球を受入れ不可能な状態となった場合の、球送り装置の正面図及び断面図である。この場合、球送りソレノイド９１が消磁することに連動し、球送り弁９９が相対的に下側に揺動して、上皿５（図１参照）にある遊技球を、当該球送り弁９９に設けられた送り待機部９６に受入れ不能な状態にしている。
【０１５０】
また、図３７（ｂ）は、球送りソレノイド９１がＯＮになり、球送り弁９９が上皿５（図１参照）からの遊技球を受入れ可能な状態となった場合の、球送り装置の正面図及び断面図である。この場合、球送りソレノイド９１が励磁することに連動し、球送り弁９９が相対的に上側に揺動して、上皿５（図１参照）にある遊技球を該上皿５と連通する入口部９８を介して当該球送り装置内部の送り待機部９６に受入れ可能となる。また、球送り弁９９は、発射位置８８２（図３４参照）に連通する出口部９７からの、送り待機部９６に受け入れた遊技球の該発射位置８８２への送り（流出）を阻害する状態とされている。
【０１５１】
さらに、図３７（ｃ）は、球送りソレノイド９１がＯＦＦとなり、球送り弁９９が上皿５（図１参照）からの遊技球を受入れ不可能な状態であって、発射位置８８２（図３４参照）への遊技球の送り（流出）を可能とした場合の、球送り装置の正面図及び断面図である。この場合、球送りソレノイド９１が消磁することに連動し、球送り弁９９が相対的に下側に揺動して、上皿５（図１参照）にある遊技球の送り待機部９６への受入れ（流入）を阻害する状態となる。また、球送り弁９９は、発射位置８８２（図３４参照）に連通する出口部９７からの、送り待機部９６に受け入れた遊技球の該発射位置８８２への送り（流出）を許容する球送り状態でとされている。
【０１５２】
上記のような球送りソレノイド９１のＯＮ−ＯＦＦと、それに伴う球送り弁の揺動の位置変化により、遊技球が発射位置８８２（図３４参照）に送られるものとされている。
【０１５３】
以下、主制御部１４０から払出制御部（賞球制御部）１５０に送信される制御信号の内容について図面を参照しつつ説明する。送信側制御部としての主制御部１４０から送信される信号として図２３（主制御部１４０から賞球制御部１５０に送信される制御信号の一例を示す図）に示すように、発射停止解除信号、発射停止信号、ハンマ作動信号（打撃装置特別作動信号）があり、これら信号は受信側制御部としての賞球制御部１５０に送信され、該賞球制御部１５０から発射制御部２０１ａに所定のタイミングで送信されるものとされている。そして、これら賞球制御部１５０又は発射制御部２０１ａにおいて予め定められた時期に上記各信号が受信できなかった場合に、エラー検出を行うものとすることができる。
【０１５４】
ここで、発射停止解除信号は、１６個の遊技球が各入球検知スイッチ２５ａ，２１ｃ，２３ｃにて検知され、遊技領域に設けられた誘導図柄表示装置１７等の遊技装置の作動が終了した場合に送信されるものとされ、発射停止信号は、球送りカウントスイッチ９５（図８参照）にて１６個の遊技球が計数された場合に送信されるものとされている。また、ハンマ作動信号は、１６個の遊技球が発射された後に槌先球検知スイッチ９４（図８参照）にて遊技球が検知された場合に送信されるものとされている。このような各信号（発射制御信号）がそれぞれの送信時期と異なる不正確なタイミングで送信された場合にエラー検出するものとされている。
【０１５５】
上記のような発射制御信号の送信タイミングに関連するエラー検出の具体例について図２４を参照しつつ説明する。例えば、発射停止解除信号を賞球制御部１５０で受信した後に、発射停止信号を受信する前にハンマ作動信号を受信した場合にエラーを検出するものとされている（図２４［２］上段）。この場合、１６個の遊技球の発射が終了する前に賞球制御部１５０にてハンマ作動信号を受信したためにエラーとなる。すなわち、１６個の発射が終了したにも拘らず槌先球検知スイッチ９４（図８参照）にて遊技球が検知された場合に該遊技球のみを発射するために送信されるハンマ作動信号が、１６個の発射が終了していない場合に送信されたことによるエラーである。この場合のエラー処理としては、該エラーを主制御部１４０で検知し、当該遊技機に設けられたランプ、音声、表示等のエラー報知手段（例えば誘導図柄表示装置１７を使用可能）にてエラー報知し、当該遊技機を作動させるための電源を遮断させた後、電源を復帰させることより行うことが可能である。このようにして正常な遊技に迅速に復帰することができる。
【０１５６】
また、賞球制御部１５０が発射停止解除信号を受信する前に、発射停止信号又はハンマ作動信号を受信した場合にエラーを検出するものとすることができる（図２４［３］）。この場合、発射の停止が解除される前に、すなわち発射が許される前に発射停止信号又はハンマ作動信号が送信されたためにエラーとなる。具体的には、発射停止信号又はハンマ作動信号を受信してから所定時間経過後、発射停止解除信号が受信されない場合にエラー処理を行うものとすることができる。この場合のエラー処理としては、該エラーを賞球制御部１５０で検知し、当該遊技機に設けられたランプ、音声、表示等のエラー報知手段（例えば誘導図柄表示装置１７を使用可能）にてエラー報知し、当該遊技機を作動させるための電源を遮断させた後、電源を復帰させ発射停止解除信号を主制御部１４０から賞球制御部１５０に送信することより行うことが可能である。このようにして正常な遊技に迅速に復帰することができる。
【０１５７】
また、発射停止解除信号を受信し、発射停止信号を受信した後に、ファール球スイッチ１９７（図８参照）にて検知された遊技球数よりも多くの数の遊技球が球送りカウントスイッチ９５にて計数された場合にエラーを検知するものとすることができる。この場合、ファール球（発射した遊技球のうち、遊技領域に到達せずに外レール１０ｃ（図２２参照）から下皿部６に戻ってきた遊技球）よりも多くの遊技球を発射可能となる（すなわち１ゲームにおいて１６個よりも多くの遊技球が発射可能となる）ためにエラーとなる。この場合のエラー処理としては、該エラーを主制御部１４０で検知し、当該遊技機に設けられたランプ、音声、表示等のエラー報知手段（例えば誘導図柄表示装置１７を使用可能）にてエラー報知し、当該遊技機を作動させるための電源を遮断させた後、電源を復帰させることより行うことが可能である。このようにして正常な遊技に迅速に復帰することができる。
【０１５８】
次に、主制御部１４０から賞球制御部１５０に送信される制御信号のうち、賞球に関する信号について説明する。図２３に示すように、本実施例においては、賞球の制御内容は１０種類あり、賞球の払出しは１６球の払出しを単位としてその整数倍（１０倍まで）が払い出されるものとされている。その１０種類の払出しの処理プログラムは、該整数倍の払出数毎に払出制御コマンド（６０ｈ０１ｈ〜６０ｈ０Ａｈ）と対応付けて払出処理プログラム記憶手段（主制御部１４０のＲＯＭ４８２（図１４参照））に予め記憶されている。例えば賞態様があった場合は、主制御部１４０は該賞態様に応じて払出制御コマンド（６０ｈ０１ｈ〜６０ｈ０Ａｈ）のいずれかを賞球制御部１５０に送信し、賞球制御部１５０は送信された払出制御コマンドに対応する処理プログラムを上記払出処理プログラム記憶手段から読み出し、遊技球の払出しに関連する制御を行うものとされている。
【０１５９】
このように、本実施例の遊技機１においては、発射制御内容及び払出制御内容を含む制御プログラムが、制御コマンド（発射制御コマンド及び払出制御コマンド）と対応付けられて主制御部１４０に予め記憶されており、主制御部１４０は所定のタイミングで制御コマンドを賞球制御部１５０に送信するものとされている。さらに、発射制御コマンドは賞球制御部１５０から発射制御部２０１ａに送信されて、該発射制御部２０１ａは発射装置を各種態様にて作動させるものとされている。
【０１６０】
また、本実施例の遊技機１においては、図２３に示すように動作開始許可コマンドが、主制御部１４０から賞球制御部１５０に送信されるものとされている。例えば、電源入力時又は電断回復時には、賞球制御部１５０に電源電圧が出力されるものとされており、主制御部１４０に電源電圧が出力される前（すなわち主制御部１４０の作動開始前）に賞球制御部１５０が電断前の記憶状態等により作動を開始してしまう場合があり、この場合、賞球払出しの管理が主制御部１４０側でできなくなってしまう場合がある。そこで、例えば主制御部１４０の起動後に主制御部１４０から賞球制御部１５０に上記動作開始許可コマンドを送信するものとすることにより、賞球制御部１５０側では、該動作開始許可信号を待って賞球払出しに関連する制御を行うことが可能となる。したがって、主制御部１４０において賞球払出しの管理を確実に行うことが可能となり、一層正確な遊技機の作動制御を行うことが可能となる。
【０１６１】
次に、図２３に示した主制御部１４０から賞球制御部１５０に送信される制御コマンド（制御信号）について、その変形例を図３８に示す。この場合、図２３に示した制御コマンドとは、発射に関連する制御が異なるものとされている。すなわち、図３８に示す例では制御コマンド（制御信号）として、球送り禁止信号、球送り許可信号、発射禁止信号、発射許可信号、遊技開始許可信号が主制御部１４０から賞球制御部１５０に対して送信可能とされている。球送り禁止信号は、球送りソレノイド９１（図１６参照）の作動を停止（禁止）させるための信号で、球送り許可信号は、球送りソレノイド９１（図１６参照）を作動させるための信号である。また、発射禁止信号は、発射モータ９３（図１６参照）の作動を停止（禁止）させるための信号で、発射許可信号は、発射モータ９３（図１６参照）を作動させるための信号である。なお、これら信号は送信側制御部としての主制御部１４０から受信側制御部としての賞球制御部１５０に送信され、該賞球制御部１５０から発射制御部２０１ａに送信されるものとされている。
【０１６２】
このような制御コマンド（制御信号）を送信可能とすることで、球送りソレノイド９１（図１６参照）、発射モータ９３（図１６参照）をそれぞれ別個に作動させることが可能となり、１ゲームにおける上限値（１６個）の遊技球を正確に超過なく遊技領域１１に発射することが可能となる。例えば、遊技領域に到達せずに外レール（発射誘導レール若しくは遊技領域区画部材）１０ｃに沿って発射方向とは逆方向に戻ってきた遊技球（戻り球）が、槌先球検知スイッチ９４（図８，図２２参照）にて検知された場合、主制御部１４０において球送り禁止信号を出力し、発射許可信号を特別に出力することで、上記発射モータ９３のみを作動させることが可能となり、発射ハンマ９３ａ（図３４参照）により該戻り球を確実に再発射させることが可能となる。
【０１６３】
また、球送りカウントスイッチ９５（図８，図２２参照）で１ゲームにおける上限値（１６個）の遊技球を検知した後に、ファール球センサ１９７（図８参照）にて遊技球の検知があった場合にも、球送り許可信号及び発射許可信号を検知されたファール球数分に対応して出力することにより、そのファール球数分の遊技球を発射位置に送ることが可能となる。該信号を受信した賞球制御部１５０（発射制御部２０１ａ）においては該信号に基づいて発射モータ９３（図１６参照）を作動制御し、その発射モータ９３（図１６参照）の作動により発射ハンマ９３ａ（図３４参照）が作動し、遊技球が発射されるものとされている。
【０１６４】
なお、遊技開始許可信号は、１ゲームの開始時若しくは遊技機１の電源投入時、若しくは停電等の電断回復時に送信されるものであって、球送りソレノイド９１（図１６参照）及び発射モータ９３（図１６参照）の作動を開始させるための信号である。ここで、遊技開始許可信号が送信された後に、球送りカウントスイッチ９５（図８，図２２）にて１ゲームに発射（使用）可能な上限値たる１６個の遊技球が検知（計数）された場合、上記球送り禁止信号が主制御部１４０から賞球制御部１５０（発射制御部２０１ａ）に送信されるものとされている。
【０１６５】
また、槌先球検知スイッチ９４（図８，図２２）にて１ゲームに発射（使用）可能な上限値たる１６個の遊技球が検知（計数）された場合、上記発射禁止信号が主制御部１４０から賞球制御部１５０（発射制御部２０１ａ）に送信されるものとされている。具体的には、図４４に示すように、槌先球検知スイッチ９４（図８，図２２）にて上限値たる１６個目の検知信号（出力レベル「ＨＩＧＨ」）があった場合であって、その検知信号の出力レベルが変化した場合（すなわち出力レベルが「ＬＯＷ」となった場合）に発射禁止信号が出力される。なお、図４４に示すように、実際にはこれら発射禁止信号及び球送り禁止信号は、発射許可信号及び球送り禁止信号の出力レベルが反転したものに相当する。
【０１６６】
さらに、図４５に示すように、主制御部１４０において、上記発射禁止信号を送信した後、すなわち発射許可信号がＬＯＷレベルとなった後であって、上記槌先球検知スイッチ９４（図８，図２２参照）からの遊技球の検知信号があった場合には、戻り球の検出とされ、該戻り球を発射させるために発射許可信号（ＨＩＧＨレベル）が送信されるものとされている。なお、該戻り球に対する上記槌先球検知スイッチ９４（図８，図２２参照）からの検知信号について、その出力レベルが変化した場合（槌先球検知信号がＬＯＷレベルとなった場合）には、上記発射禁止信号が再び送信されるものとされている（すなわち、発射許可信号の出力レベルがＬＯＷとなる）。
【０１６７】
以上のような図３８に示した球送り禁止信号、球送り許可信号、発射禁止信号、発射許可信号、遊技開始許可信号が、主制御部１４０若しくは賞球制御部１５０（発射制御部２０１ａ）において予め定められた時期に送信若しくは受信できなかった場合に、エラー検出が行われるものとされている。
まず、図３９［２］に示すように、主制御部１４０において、球送り禁止信号を送信した後に、球送りカウントスイッチ９５(図８，図２２参照)から検知信号があった場合、該主制御部１４０にてエラー検出される。
【０１６８】
なお、ファール球センサ１９７（図８，図２２参照）にてファール球が検知された場合には、球送り禁止信号を送信した後であっても、そのファール球センサ１９７（図８，図２２参照）で検知したファール球分に対応して、球送りソレノイド９１（図１６参照）が作動されるため、該検知したファール球分を超える数の遊技球が球送りカウントスイッチ９５（図８，図２２参照）にて検知された場合にエラー検出とされる。若しくは、ファール球分の球送りソレノイド９１（図１６参照）の作動が完了し、球送り禁止信号を再び送信した後に、球送りカウントスイッチ９５(図８，図２２参照)から検知信号があった場合にエラー検出とされる。
【０１６９】
この場合、上限値たる１６個の遊技球が発射位置８８２（図３４参照）に送られ、球送りソレノイド９１（図１６参照）の作動が停止（禁止）となったにも関わらず球送りカウントスイッチ９５(図８，図２２参照)にて遊技球が検知されたため、また、ファール球数分を超える遊技球が球送りソレノイド９１（図１６参照）により発射位置８８２（図３４参照）に送られたためエラー検出となる。この場合のエラー処理は、図４０［２］に示すように、該エラーを主制御部１４０（主制御基板３４０）が処理するものとされており、まず、ランプ４ｇ（図５参照）等のエラー報知手段にてエラーを報知する。そして、エラー回復処理として、当該遊技機１を作動させるための電源を一旦遮断させた後、電源を復帰させることによりエラーを回復させるものとされている。このようにして正常な遊技に迅速に復帰することができる。
【０１７０】
次に、図３９［３］に示すように、賞球制御部１５０若しくは発射制御部２０１ａにおいて、発射禁止信号を受信した後であって、所定時間（例えば６０秒後）経過した後に遊技開始許可信号を受信しない場合、該賞球制御部１５０若しくは発射制御部２０１ａにてエラー検出される。この場合、エラー処理は賞球制御部１５０若しくは発射制御部２０１ａにて行われるものとされ、そのエラー報知は、例えば図４０［３］に示すように、払出制御基板３５０若しくは発射制御基板２０１に設けられたＬＥＤ等のエラー報知手段により行われる。また、エラー回復処理は、該エラーの発生後において遊技開始許可信号があった場合に、又は当該遊技機１を作動させるための電源を一旦遮断させた後、電源を復帰させることによりエラーを回復させるものとされている。このようにして正常な遊技に迅速に復帰することができる。
【０１７１】
さらに、図３９［４］に示すように、賞球制御部１５０若しくは発射制御部２０１ａにおいて、球送り禁止信号を受信した後であって、所定時間（例えば０．６秒）経過した後に、発射禁止信号を受信しない場合、賞球制御部１５０若しくは発射制御部２０１ａにてエラー検出される。この場合、エラー処理は賞球制御部１５０若しくは発射制御部２０１ａにて行われるものとされ、そのエラー報知は、例えば図４０［４］に示すように、払出制御基板３５０若しくは発射制御基板２０１に設けられたＬＥＤ等のエラー報知手段により行われる。また、エラー回復処理は、該エラーの発生後において遊技開始許可信号があった場合に、又は当該遊技機１を作動させるための電源を一旦遮断させた後、電源を復帰させることによりエラーを回復させるものとされている。このようにして正常な遊技に迅速に復帰することができる。
【０１７２】
次に、図４１は、図３８に示したような発射制御コマンドを送信可能とした場合の、発射に関連するタイミング制御を行うための構成を模式的に示した回路図である。すなわち、図４１に示した例においては、タイミング制御回路９２１は、発射ハンドル９のタッチ端子（図１６参照）からの検知信号（ハンドル入力信号）と、上記発射許可信号（図３８参照）とがＡＮＤゲート９２２を介して入力された場合に、発射モータ９３（図１６参照）及び球送りソレノイド９１（図１６参照）を逐次的に作動させるための発射モータ作動指令信号及び球送りソレノイド作動指令信号を出力する。なお、発射モータ９３（図１６参照）は、ＡＮＤゲート９２３を介して、主制御部１４０からの発射許可信号（図３８参照）と、タイミング制御回路９２１からの発射モータ作動指令信号との入力があった場合に作動する。また、球送りソレノイド９１（図１６参照）は、ＡＮＤゲート９２４を介して、主制御部１４０からの球送り許可信号（図３８参照）と、タイミング制御回路９２１からの球送りソレノイド作動指令信号との入力があった場合に作動する。
【０１７３】
上記ハンドル入力信号は、図４２に示す入力回路の端子STOP1から入力されるものとされており、具体的には発射停止スイッチ９ｂ（図１６参照）と、発射ハンドル部９のタッチ端子（図１６参照）との信号に基づいて入力される。すなわち、発射停止スイッチ９ｂ（図１６参照）から該スイッチ９ｂの出力ＯＦＦを示す信号が出力され、発射ハンドル部９のタッチ端子（図１６参照）から該タッチ端子の検知を示す信号が出力された場合に、ハンドル入力信号が入力される。また、図４１に示した発射許可信号は、図４２に示す入力回路の端子STOP2から入力され、球送り許可信号は、図４２に示す入力回路の端子STOP3から入力されるものとされている。
【０１７４】
図４３は、図４１に示したタイミング制御回路９２１の一例である。発射モータ９３（図１６参照）の作動制御信号は端子MOUTから出力され、球送りソレノイド９１（図１６参照）の作動制御信号は端子SOUTから出力されるものとされている。これら作動制御信号は、発射許可信号（端子STOP2）、ハンドル入力信号（端子STOP1）、システムクロック信号（端子SCLK）、リセット信号（端子RES）等の入力に基づいて所定のタイミングでそれぞれ出力される。具体的には、球送りソレノイド９１（図１６参照）の作動制御信号が出力された後、所定時間の経過後に逐次的に発射モータ９３（図１６参照）の作動制御信号が出力されるものとされている。
【０１７５】
ここで、図４３に示したゲートＩＣ及びフリップフロップ等の回路素子の組合せは、球送りソレノイド９１（図１６参照）と発射モータ９３（図１６参照）との逐次的作動を実現する逐次作動制御手段として機能しており、球送りソレノイド９１（図１６参照）の作動制御信号と、発射モータ９３（図１６参照）の作動制御信号との出力を逐次的に行うことが可能となっている。なお、図４３において、発射モータ９３（図１６参照）の作動制御信号は、端子COUTからモータ駆動制御信号として出力されるものとされている。また、図４１及び図４４に示すように、例えばタイミング制御回路９２１から所定のタイミングで上記各作動制御信号の出力があった場合でも、発射許可信号又は球送り許可信号が出力されていない場合には、発射モータ９３（図１６参照）又は球送りソレノイド９１（図１６参照）は作動しないものとされている。
【０１７６】
以上のような構成により、球送りソレノイド９１（図１６参照）により送られた遊技球は、発射モータ９３（図１６参照）の作動に基づいて確実に発射される。また、例えば戻り球があった場合においても、それを確実に検知し発射することができる。さらに、例えばファール球があった場合においても、それを確実に検知し対応した数の遊技球を発射することできる。したがって、１ゲームにおいて、上限値たる１６個の遊技球を過不足無く遊技領域１１（図１参照）に発射させることが可能となる。
【０１７７】
次に、本実施例の遊技機１には、停電等の電力供給異常発生時に各遊技制御部に記憶されている遊技情報をバックアップする機能が具備されている。図１８及び図１９に示したように、本実施例では、停電等により電源受電基板１２８からの電力供給が遮断され、定電圧回路部５５２からの電力供給が途絶えるか、あるいは出力電圧が所定値以下に降下した場合（電断時）にバックアップ電源が供給され、そのバックアップ電圧に基づいて主制御部１４０のＲＡＭ４８１又は賞球制御部（払出制御部）１５０のＲＡＭ６８１に記憶されている遊技情報が記憶保持されるものとされている。
【０１７８】
具体的に、停電等による電源電圧低下を異常として検出し、停電復帰後に停電前の遊技状態に基づく遊技続行が可能となるように、停電直前の制御部のワークメモリ（記憶領域）内に記憶された、遊技状態を示す遊技状態情報（以下、単に遊技情報とも言う）をバックアップする態様を例にとり説明する。なお、本実施例における遊技状態情報とは、各制御部のＣＰＵに内蔵される各種レジスタ（詳細は後述する）に記憶された遊技機の遊技態様を成立させるための一連の遊技制御プログラムにて定義される制御プログラム情報、あるいは各制御部のＲＡＭ（詳細は後述する）に記憶された、遊技機の遊技態様を成立させる遊技価値媒体に関する遊技媒体情報、すなわち例えば上記遊技球（価値媒体）の払出しや、遊技球（価値媒体）の発射数等に関連する賞球情報及び／又は貸球情報、ないし発射数情報等を意味する。
【０１７９】
上述したように、遊技機１は、少なくとも３つの制御部、すなわち主制御部１４０、賞球制御部（払出制御部）１５０及び図柄表示装置制御部１６０を有している。従って、停電直前作動状態の正確な回復を行う観点においては、それら全ての制御部１４０、１５０、１６０のそれぞれに上記バックアップ機能実現部分を付加しておくことが望ましいといえる。しかし、遊技者の利益に直接的に関連する制御部、すなわち価値媒体としての遊技球の流通に関連する情報（価値媒体情報）についての制御を行う主制御部１４０及び賞球制御部（払出制御部）１５０の遊技情報をバックアップするのみでも停電直前作動状態をかなりの精度で回復できることも多く、この場合は主制御部１４０及び／又は賞球制御部（払出制御部）１５０にバックアップ機能実現部分を付加する態様とすることができる。なお、本実施例においては、これら２つの制御部１４０、１５０においてバックアップ処理を行う場合を例に取るが、以下に示すバックアップ処理は、上記少なくとも３つの制御部のうち、１又は２以上の制御部に対して行うことが可能である。なお、図柄表示装置制御部１６０にバックアップ処理を行う場合は、図１８に示す電源中継基板１２１から図柄表示装置制御部１６０に対してバックアップ端子を接続させればよい。
【０１８０】
図４６は、バックアップ機能実現のための基本的な回路構成の一例を表すブロック図である。なお、回路構成及びバックアップ処理の基本的な制御の流れは、バックアップするデータの種別が異なるだけで、主制御部１４０、賞球制御部（払出制御部）１５０のいずれについてもほぼ同じである。以下において、主制御部１４０、賞球制御部（払出制御部）１５０はバックアップ対象制御部（あるいは単に制御部）１４０，１５０と称することもある。
【０１８１】
まず、バックアップ対象制御基板３４０，３５０には、ＣＰＵ４０１，６０１及びＲＡＭ４８１，６８１（ＲＯＭは図示省略）が搭載されている。このＣＰＵ４０１，６０１及びＲＡＭ４８１，６８１への電圧は、電源受電基板１２８からの出力電圧を電源ユニット１２７により、変圧ないし整流・平滑化して供給されている。ＣＰＵ４０１，６０１及びＲＡＭ４８１，６８１への作動電圧を供給する電源ユニット１２７は、例えば図１９に示した構成のものが採用されており、供給電力量を監視し、電力供給の異常の有無を判断するための電源監視モジュール（電力監視手段）５５３を備えている。なお、電源ユニット１２７からＣＰＵ４０１，６０１及びＲＡＭ４８１，６８１への出力電圧は、例えば５Ｖに設定されており、さらに停電等の異常時には、バックアップ端子（図１９参照）からバックアップ電源が供給される。なお、本実施例においては、上記ＣＰＵ４０１，６０１及びＲＡＭ４８１，６８１等は各々がワンチップ化されたマイコンとされているが、ＣＰＵ４０１，６０１及びＲＡＭ４８１，６８１等が別体の素子で形成され、各素子が基板上に実装された形態のものを採用することも可能である。
【０１８２】
本実施態様においては、図４６及び図１９に示すように、ＣＰＵ４０１，６０１のワークメモリエリアを形成するＲＡＭ４８１，６８１に、バックアップ電源としての蓄電手段が接続されている。この場合、停電等の異常発生時には、蓄電手段からの補助電力の供給により、ＲＡＭ４８１，６８１内に遊技態様を成立させるための遊技媒体情報（賞球数情報、貸球数情報、入球数情報、発射数情報等）が記憶・保持（バックアップ）されることとなる。例えば、異常発生時にＣＰＵ４０１，６０１がＮＭＩ割込み信号を受けると、ＣＰＵ４０１，６０１のレジスタに書き込まれている遊技態様を成立させるための制御プログラム情報が、該ＣＰＵ４０１，６０１の制御に基づいてＲＡＭ４８１，６８１に移管され、該制御プログラム情報が記憶・保持（バックアップ）される。また、異常発生時のＲＡＭ４８１，６８１に記憶されている遊技情報も、該ＲＡＭ４８１，６８１に記憶・保持される。
【０１８３】
なお、電源受電基板１２８からのＡＣ２４Ｖ等、その他の電圧レベル値を監視し、該電圧レベルが所定値よりも低下した場合に、上記バックアップ電圧を供給する構成とすることも可能である。これら監視する電圧値、電断信号（ＮＭＩ割込み信号）を変化させるタイミングは、バックアップの対象とする制御部に応じて種々変更することが可能である。例えば、上述の賞球払出モータに対して余分な払出しを防止するためには、該モータの駆動電圧を参照して決定することが可能である。また、払出しに要する時間を考慮して、電断信号及びシステムリセット信号を変化させるタイミングを決定することが可能である。
【０１８４】
次に、本実施例の遊技機１においては、停電等の異常が発生した場合に、図４７に示す各レジスタの記憶内容が、図４８に示すＲＡＭ４８１（６８１）内に形成されたバックアップ退避領域５９５内に移管されて記憶保持される。図４７は、ＣＰＵ４０１（６０１）内に備えられたレジスタの一構成例を示すものである。汎用レジスタ６９０には、主レジスタ群６９２と補助レジスタ群６９３とがあって、主レジスタ群６９２だけでは不都合となった場合に、プログラムで補助レジスタ群６９３へ切り換えて使用される。Ａレジスタは８ビットで、アキュムレータとも呼ばれ、演算過程で使用したり、演算結果を一時記憶するのに使用される。Ｆレジスタ６９９は、フラグレジスタとも呼ばれ、演算の結果内容を示すものである。Ｂ，Ｃ，Ｄ，Ｅ，Ｈ，Ｌの各レジスタは８ビットのレジスタで、ＢＣ，ＤＥ，ＨＬの組み合わせで１６ビットのレジスタとして使うことも可能である。
【０１８５】
一方、専用レジスタ６９１は、アドレスを間接的に指定する１６ビットのインデックス・レジスタ（ＩＸ，ＩＹ）６９６，６９７と、ＲＡＭ４８１，６８１のスタック領域のアドレスを記憶するスタック・ポインタ（ＳＰ）６９５と、当該ＣＰＵ４０１，６０１が次に実行する命令のアドレスが入るプログラム・カウンタ（ＰＣ）６９４とを含んで構成されている。
【０１８６】
このような構成の各レジスタは、停電、瞬断等の電力供給の異常発生時に補助的に電力が供給されないものであって（第１記憶手段）、そのままでは記憶内容が消えてしまう。本実施例の場合、異常発生時には、各レジスタの記憶内容が、図４８に示すＲＡＭ４８１（６８１）のワークメモリエリア５９０内の退避領域５９５にバックアップされる。ＲＡＭ４８１（６８１）はＣＰＵ４０１，６０１のワークメモリエリア５９０を備え、遊技態様を成立させるための遊技媒体情報として、１ゲームに各入球領域（１６連入球口２４、役物作動口２１、得点増加装置作動口２３）に入球した遊技球の数を記憶する入球数データ記憶領域５９１と、遊技態様を成立させるための制御プログラムや各種遊技態様に関連するデータ等を記憶する遊技データ記憶領域５９４とを少なくとも含んで構成されている。
【０１８７】
さらに、異常発生時に電源遮断フラグ（バックアップフラグ）を記憶する異常確定情報記憶領域（バックアップフラグ記憶領域）５９２と、上記スタックポインタを記憶するスタックポインタ記憶領域５９３と、上記レジスタの内容及びプログラムカウンタを退避させて記憶するバックアップ退避領域５９５とを含んで構成されている。ワークメモリエリア５９０内には、通常時の遊技データを記憶する遊技データ格納エリア（入球数データ記憶領域、遊技データ記憶領域）５９１，５９４が形成されているが、これはバックアップ処理時にはそのままバックアップデータ格納エリアとして機能し、異常発生時に記憶がそのまま保持されるものである。なお、入球数データ及び／又は遊技データをバックアップ待避領域に移管し、異常発生から該異常回復まで該データを記憶保持するものとすることも可能である。
【０１８８】
以下、バックアップ処理の流れについてフローチャートを用いて説明する。
各制御部１４０，１５０の処理の流れは、１）電源遮断時（バックアップ）処理，２）通常時処理，３）電源投入時処理，の３つに分類される。図４９は、電源遮断時の処理を示しており、ＮＭＩ割込み信号が入ると、Ｓ１においてＮＭＩ割込み前のプログラムカウンタ（図４７参照）をＲＡＭのバックアップ退避領域５９５（図４８参照）に退避させるとともに、Ｓ２において図４６に示した全レジスタをバックアップ退避領域５９５に退避（バックアップ）させる。さらに、Ｓ３においてスタックポインタ（図４７参照）をスタックポインタ記憶領域５９３に記憶させる。その後、Ｓ４に進んで、開口している役物作動口（特定入球口）２１及び／又は役物作動口（得点増加装置作動口）２３（図１参照）を閉鎖する。続いて、Ｓ５において、賞球計数センサ１９８（図８参照）のポーリング処理として所定時間（例えば約８４ｍｓ）、該賞球計数センサ１９８（図８参照）で遊技球の通過（入球）を監視する。また、役物作動口（特定入球口）入球検知スイッチ２１ｃ（図７参照）と役物作動口（得点増加装置作動口）入球検知スイッチ２３ｃ（図７参照）、誘導増加装置作動領域通過検知スイッチ１９ｄ（図７参照）、誘導増加装置非作動領域（排出口）通過検知スイッチ１９ｅ（図７参照）のポーリング処理として所定時間（例えば約１３２ｍｓ）遊技球の通過（入球）を監視する。
【０１８９】
次に、Ｓ６において、使用しているＲＡＭ４８１（６８１）のチェックサムを作成し、これを保存する。さらに、Ｓ７に進み、上述したバックアップフラグ（バックアップの有無を示すための情報）をＯＮにしてバックアップフラグ記憶領域５９２（図４８参照）に記憶する。このバックアップフラグのセットは、電源遮断信号の入力と対になるバックアップ処理が実行された場合にのみセットされる。すなわち、電源遮断異常以外のトラブル発生（例えばプログラム暴走など）時にはセットされることはないものである。なお、以上の処理が行われた後にＲＡＭ４８１（６８１）へのアクセスが禁止される（Ｓ８）。
【０１９０】
図５０は、電源投入（電源復帰）時の処理を示しており、システムリセット信号が入力されると、Ｓ６１においてＲＡＭ４８１（６８１）へのアクセスが許可され、Ｓ６２にてバックアップフラグがＯＮされているか否かが確認される。バックアップフラグがＯＮされていない場合（Ｓ６２：ＮＯ）、Ｓ６３に進み、ＲＡＭ４８１（６８１）の初期化を行った後、図９に示す一連の通常時処理を行う。ここでは、入球図柄表示装置２５、誘導図柄表示装置１７の初期図柄の表示を行うため、図柄表示装置制御部１６０に図柄制御信号を送信し、通常処理にて遊技機の状態を払出制御部１５０に送信するための設定をする。また、通常処理にて役物作動口（特定入球口）２１（図１参照）及び／又は役物作動口（得点増加装置作動口）２３（図１参照）を閉口するための設定を行うとともに割込み処理を行う。
【０１９１】
一方、バックアップフラグがＯＮされている場合（Ｓ６２：ＹＥＳ）、図４８に示したＲＡＭ４８１（６８１）内に記憶保持された内容を参照して、復帰処理が行われる。すなわち、Ｓ６４にてスタックポインタを復帰させた後、バックアップフラグをＯＦＦし（Ｓ６５）、Ｓ６６にて電源遮断時に退避させた全レジスタを復帰させ、記憶されたプログラムカウンタのアドレスへジャンプし、電源遮断発生時の記憶状態を回復する。
【０１９２】
具体的には、例えば誘導図柄表示装置１７を電断直前時の状態に戻すため、図柄表示装置制御部１６０へ図柄表示関連制御信号を送信するとともに、入球数データ記憶領域５９１（図４８参照）に記憶保持された入球数データを参照して、電断時のゲームを継続するべく該電断時の既入球数を反映させた態様にて発射制御信号を賞球制御部（払出制御部）１５０に送信する。また、通常処理にて遊技機の状態を電断直前の状態に戻すため、賞球制御部（払出制御部）１５０へ賞球制御信号（払出制御信号）を送信するための設定が行われる。なお、電断回復時の遊技状態は、下受け皿満タンスイッチ１９９（図８参照）、タンク球切れスイッチ１０４（図３参照）により下受け皿の満タン及びタンク球切れが検知された状態で、さらに球送りソレノイド９１（図１６参照）の作動及び発射モータ９３（図１６参照）の作動が禁止された状態とされている。
【０１９３】
電断回復時の発射制御について詳細を説明すると、本実施例の遊技機１は、１ゲーム中に発射された遊技球の数を計数する発射数カウンタ（ＣＰＵ４０１）と、該発射数を記憶する発射数データ記憶領域（ＲＡＭ４８１）とを備えている。また、１ゲーム中に各入球領域（１６連入球口２４、役物作動口２１、得点増加装置作動口２３等）に入球した遊技球の数を計数する入球数カウンタ（ＣＰＵ４０１）と、該入球数を記憶する入球数データ記憶領域５９１（ＲＡＭ４８１）とを備えている。ここで、電断発生時には、上記入球数データ記憶領域５９１に記憶されている入球数をバックアップするべく処理がなされる。具体的には、本実施例においては入球数データ記憶領域５９１（ＲＡＭ４８１）がそのままバックアップデータ格納エリアとして機能し、電断発生時の入球数が記憶保持される。なお、入球数データをバックアップ待避領域５９５に移管し、電断発生から該電断回復まで入球数データを記憶保持するものとすることも可能である。
【０１９４】
そして、電断から回復したときには、バックアップデータ格納エリア（若しくはバックアップ待避領域５９５）に記憶されている入球数データを、電断回復後の発射数データとして発射数データ記憶領域（ＲＡＭ４８１）の値に置き換えて、電断回復後の遊技が行われるものとされている。すなわち、電断回復後においては、電断時の入球数を発射数に置き換え、該置き換えた発射数から上限値たる１６個に満たない分を発射する処理を行うものとしている。
【０１９５】
図５０のＳ６７の処理を行った後、通常処理にて役物作動口（特定入球口）２１等を電断直前の状態に戻すための設定を行うとともに、同じく通常処理にて得点表示装置２９（図１参照）を電断直前の状態に戻すための設定を行う。また、入球図柄表示装置２５を電断直前の状態に戻すため、図柄表示装置制御部１６０へ図柄表示装置制御信号を送信する。そして、レジスタを電断直前の状態に戻し、電断直前時のプログラム実行位置に戻りプログラムを再開する。さらに、ランプ出力装置制御部１７０（図３参照）へエラーランプの点灯のため、ランプ制御信号を送信する。
【０１９６】
なお、役物作動口（特定入球口）２１、役物作動口（得点増加装置作動口）２３等の開閉式の遊技装置については、開状態にある遊技装置は電断発生により閉鎖されるものとされている。ここで、閉鎖作動中に遊技球が入球ないし通過する場合も考えられるが、本実施例の場合、各開閉式の遊技装置への入球ないし通過を検知するスイッチに対してはバックアップ電源の供給により該スイッチを読み込み可能としており、電断発生後の入球ないし通過も有効となる構成とされている。
【０１９７】
このようなバックアップ処理に関与する遊技データの種別は、制御部毎に異なる。主制御部１４０に関しては、その一例を上述したが、その他の制御部について以下に述べる。例えば、主制御部１５０の場合、得点獲得に伴う１６個賞球回数データの加算値をバックアップ処理するものとされている。
【０１９８】
また、各スイッチ等の検知結果や、誘導図柄の当否を判定する乱数の取得値などを用いて、遊技が行われていない客待ちの状態、通常遊技状態、若しくは特別遊技状態などの判別に使用するデータ等も、主制御部１４０が取り扱う遊技データである。
【０１９９】
なお、例えば、賞球払出ジョブ（例えば賞球制御部１５０）に係るバックアップ処理の場合は、図５１に示すように、処理待ち賞球データ（例えば、処理待ちの賞球個数データ）あるいは処理途中の賞球データ（賞球払出状況を示すデータ）を用いて、ワークメモリエリアの記憶状態を回復させ、この回復された記憶内容に基づき賞球払出動作が再開される。一方、主制御部１４０における誘導図柄の当否判定後の制御指令の流れをバックアップする場合は、図５２に示すように、処理待ちあるいは処理途中の当否データを用いて、ワークメモリエリア５９０（図４８参照）の記憶状態を回復させ、この回復された記憶内容に基づき当否判定後に係る制御指令（例えば、図１７の誘導図柄表示ジョブ等）が再開される。
【０２００】
次に、停電等による電源遮断異常が発生した場合は、以下のようにしてバックアップ処理がハード的に行われる。すなわち電源遮断が発生すると、図１９において定電圧回路部５５２の出力電圧が低下し、結果として既に説明した通り、電力監視手段として機能する電源監視モジュール５５３において、ＡＮＤゲート５７０が電源遮断信号をＣＰＵ４０１，６０１の割込端子に入力する。これを受けてＣＰＵ４０１，６０１は、図４９のバックアップ処理ルーチンを起動する。なお、ＣＰＵ４０１，６０１は、ＲＯＭ４８２，６８２に格納されたバックアップ処理実行プログラムを参照しつつ、例えばコンデンサ５５７ｂからの補助電力供給に基づいてバックアップ処理を実行する。ここで、コンデンサ５５７ｂは、情報移管手段（ＣＰＵ４０１，６０１）に、異常発生時における情報移管処理（バックアップ処理）を行うための電力を供給する特別電力供給手段として構成されている。
【０２０１】
ここで、図４６において電源遮断信号が入力される割込端子は、ＮＭＩ端子であり、この端子を能動化することにより実行される割込処理ルーチン（バックアップ処理ルーチン）は、他の割込信号が通常割込のＩＮＴ端子に入力されても、一切中断されることなく処理が行われる。また、先に実行されている割込処理があれば強制的に終了され、ＮＭＩ割込処理（バックアップ処理）が優先される。
【０２０２】
なお、遊技店の営業終了時等において、電源スイッチのＯＦＦにより正常に終了する場合は、これを電源遮断異常として検出せず、バックアップ処理を行わせない（あるいは、一旦行ったものを無効化する）ようにしておくことが望ましい。これには種々方法があるが、例えば電源スイッチをＯＦＦにすることにより終了信号を発生させ、この終了信号により電源遮断信号の発生を禁止化する手段を設けておく方法がある。そして、この電源遮断信号発生の禁止化処理が完了した後、電源からの電力供給を遮断するようにする。例えば、図４６に示すように、電源監視モジュール５５３からの電源遮断信号の出力線上に、上記終了信号をインヒビット入力として使用するトライステートバッファ５９５を設けておく。終了信号がＬレベルとしてトライステートバッファ５９５のインヒビット端子に入力されると、トライステートバッファ５９５の出力はハイインピーダンス状態となり、電源遮断信号の出力が禁止される。この方法は、上記のように、プログラム中断不能なＮＭＩ割込によりバックアップ処理を行う場合に特に有効である。
【０２０３】
次に、図柄表示装置制御部１６０におけるバックアップ処理について説明する。図５３は誘導図柄表示装置１７（図１参照）の動作状態を示す説明図である。電源投入後、図柄表示装置制御部１６０において初期画面指定コマンド（Ａ）を受信すると、誘導図柄表示装置１７にて所定の初期画面が表示される（例えばアレンジボール遊技機の紹介）。そして、客待ちデモ画面指定コマンド（Ｂ）を受信すると、誘導図柄表示装置１７において所定のデモ画面が表示され（例えばアレンジボール遊技機のゲーム内容ないしルール紹介）、変動パターン指定コマンド（Ｃ）を受信すると、誘導図柄表示装置１７にて誘導図柄の変動が開始され、さらに左・中・右誘導図柄指定コマンドを受信し、全誘導図柄停止指定コマンドを受信すると誘導図柄の変動が停止される。
【０２０４】
ここで、各コマンドの送信後において電断が生じた場合、電断復帰のためには、主制御部１４０は図柄表示装置制御部１６０に対し、図５４に示すように、電源復旧コマンド、左誘導図柄指定コマンド、中誘導図柄指定コマンド、右誘導図柄指定コマンドの順でコマンドを送信する必要がある。さらに、初期画面指定コマンド、客待ちデモ画面指定コマンド、全誘導図柄停止指定コマンドの送信後においては、上記電源復旧コマンド、左誘導図柄指定コマンド、中誘導図柄指定コマンド、右誘導図柄指定コマンドをそれぞれ送信した後に、全誘導図柄停止指定コマンドを送信して電断を復帰させる。
【０２０５】
次に、図５５は入球図柄表示装置２５（図１参照）の動作状態を示す説明図である。電源投入後、図柄表示装置制御部１６０において電源投入コマンド（Ａ）を受信し、客待ちデモ（Ｂ）のコマンドを受信すると、客待ちデモ画面が表示される。その後、入球図柄表示コマンド（Ｃ）を受信すると、入球図柄表示装置２５にて対応する入球図柄が表示される。そして、全図柄消灯コマンド（Ｄ）を受信すると、入球図柄表示装置２５にて点灯表示されている図柄が消灯される（全入球図柄消灯）。
【０２０６】
ここで、主制御部１４０から電源投入コマンド（Ａ）を送信した後において、電断やエラーが発生した場合、図５６に示すように、主制御部１４０が図柄表示装置制御部１６０に対し電源復旧コマンドを送信することで電断やエラー状態から復帰される。また、主制御部１４０から客待ちデモ（Ｂ）のコマンドを送信した後、又は入球図柄表示コマンド（Ｃ）を送信した後において、電断やエラーが発生した場合には、主制御部１４０が図柄表示装置制御部１６０に対し電源復旧コマンド、入球図柄表示コマンドを送信することで電断やエラー状態から復帰される。なお、入球図柄表示コマンドは、当該ゲームにおいて表示していた入球図柄に対応する入球図柄表示コマンドを全て送信するものとされている。さらに、全図柄消灯コマンド（Ｄ）送信後において電断やエラーが生じた場合は、主制御部１４０が図柄表示装置制御部１６０に対し電源復旧コマンドを送信することで電断やエラー状態から復帰される。このようにして正常な遊技に迅速に復帰することができる。
【０２０７】
以上、本発明の実施の形態を説明したが、本発明はこれに限定されるものではなく、また、各請求項に記載した範囲を逸脱しない限り、各請求項の記載文言に限定されず、当業者がそれらから容易に置き換えられる範囲にも及び、かつ、当業者の通常有する知識に基づく改良を適宜付加することができる。例えば、本実施例では、入球数の値の記憶ないし記憶保持を主制御部にて行うものとしているが、これを払出制御部（賞球制御部）にて行うものとすることも可能である。
【図面の簡単な説明】
【０２０８】
【図１】本発明の遊技機の一実施例たる遊技機の正面図。
【図２】図１の遊技機の裏面図。
【図３】図１の遊技機の電子制御装置の一例を示すブロック図。
【図４】音声出力装置制御基板に接続される各種遊技装置を示すブロック図。
【図５】ランプ出力装置制御基板に接続される各種遊技装置を示すブロック図。
【図６】図柄表示装置制御基板に接続される各種遊技装置を示すブロック図。
【図７】中継基板に接続される各種遊技装置を示すブロック図。
【図８】枠中継基板に接続される各種遊技装置を示すブロック図。
【図９】図３の電子制御装置におけるメインジョブの流れを示すフローチャート。
【図１０】ゲーム開始ジョブの流れを示すフローチャート。
【図１１】乱数更新ジョブの流れを示すフローチャート。
【図１２】図柄表示ジョブの流れを示すフローチャート。
【図１３】得点演算ジョブの流れを示すフローチャート。
【図１４】主制御部及び賞球制御部のＣＰＵの構成を示すブロック図。
【図１５】インターバルタイマセットジョブの流れを示すフローチャート。
【図１６】発射装置制御基板に接続される各種遊技装置を示すブロック図。
【図１７】誘導図柄表示ジョブの流れを示すフローチャート。
【図１８】電子制御装置の電源部における基板接続レイアウトの一例を示す回路図。
【図１９】電源監視回路の一例を示す回路図。
【図２０】主制御部と外部試験装置との接続状態の一例を示すブロック図。
【図２１】図２０の変形例を示すブロック図。
【図２２】図１の遊技機の上皿部内部の構成を示す正面模式図及びその部分透視図。
【図２３】主制御部から賞球制御部に送信されるコマンド内容の一例を示す図。
【図２４】図１の遊技機に発生する発射制御エラーの一例を示す図。
【図２５】変動パターン選択ジョブの流れの一例を示すフローチャート。
【図２６】発射制御ジョブの流れを示すフローチャート。
【図２７】電源ユニットの一変形例を示すブロック図。
【図２８】主基板電源制御部の構成の一例を示すブロック図。
【図２９】主基板電源制御部の構成の一変形例を示すブロック図。
【図３０】球送りフラグセットジョブの一例を示すフローチャート。
【図３１】発射数カウントジョブの一例を示すフローチャート。
【図３２】発射数をカウントするために使用可能なハードウェア構成の一例を示す回路図。
【図３３】発射数カウントの際の流れを示すタイミングチャート。
【図３４】発射数カウントの態様について、発射装置周辺の構造とともに示す説明図。
【図３５】発射数カウントの態様について、発射装置周辺の構造とともに示す説明図。
【図３６】発射数カウントの態様について、発射装置周辺の構造とともに示す説明図。
【図３７】球送りソレノイドを含む球送り装置の構成を示す正面図及び断面図。
【図３８】主制御部から賞球制御部に送信されるコマンド内容の一変形例を示す説明図。
【図３９】図３８のコマンドの送受信に関する発射制御エラーの一例を示す説明図。
【図４０】図３９のエラーに対するエラー処理の一例を示す説明図。
【図４１】発射制御のタイミングを計るための回路構成を示す模式図。
【図４２】図４１の回路構成の構成要素について一例を示す回路図。
【図４３】図４１の回路構成の構成要素について一例を示す回路図。
【図４４】発射制御における各制御信号の出力タイミングの一例を示すタイミングチャート。
【図４５】戻り球が発生した場合の発射制御における各制御信号の出力タイミングの一例を示すタイミングチャート。
【図４６】異常発生時のバックアップ処理機能を実現するための電気的構成を示すブロック図。
【図４７】レジスタの一構成例を示す説明図。
【図４８】ＲＡＭのワークメモリエリアの内容を示す説明図。
【図４９】電源遮断時の処理の流れを示すフローチャート。
【図５０】電源投入（電源復帰）時の処理の流れを示すフローチャート。
【図５１】図４９の電源遮断時の処理について、賞球排出ジョブに具体化した場合のフローチャート。
【図５２】図４９の電源遮断時の処理について、当否判定後の制御指令の流れに具体化した場合のフローチャート。
【図５３】誘導図柄表示装置の動作状態について示す説明図。
【図５４】誘導図柄表示装置において電断復帰のために必要な制御内容について示す説明図。
【図５５】入球図柄表示装置の動作状態について示す説明図。
【図５６】入球図柄表示装置において電断復帰のために必要な制御内容について示す説明図。
【符号の説明】
【０２０９】
１  アレンジボール遊技機（遊技機）
１７  誘導図柄表示装置（可変表示装置）
２５  入球図柄表示装置（識別情報表示装置（入賞図柄表示装置））
９１  球送りソレノイド
９３  発射モータ
９４  槌先球検知スイッチ
９５  球送りカウントスイッチ
１４０  主制御部（誘導増加装置、特別遊技発生装置、当否判定手段、賞態様増加装置、入球数計数手段、発射数計数手段、計数値置換手段）
１５０  賞球制御部（払出制御部）
１９７  ファール球センサ
４８１，６８１  ＲＡＭ（計数値特別記憶手段）
【図１】
0004457360.tif 000002
【図２】
0004457360.tif 000003
【図３】
0004457360.tif 000004
【図４】
0004457360.tif 000005
【図５】
0004457360.tif 000006
【図６】
0004457360.tif 000007
【図７】
0004457360.tif 000008
【図８】
0004457360.tif 000009
【図９】
0004457360.tif 000010
【図１０】
0004457360.tif 000011
【図１１】
0004457360.tif 000012
【図１２】
0004457360.tif 000013
【図１３】
0004457360.tif 000014
【図１４】
0004457360.tif 000015
【図１５】
0004457360.tif 000016
【図１６】
0004457360.tif 000017
【図１７】
0004457360.tif 000018
【図１８】
0004457360.tif 000019
【図１９】
0004457360.tif 000020
【図２０】
0004457360.tif 000021
【図２１】
0004457360.tif 000022
【図２２】
0004457360.tif 000023
【図２３】
0004457360.tif 000024
【図２４】
0004457360.tif 000025
【図２５】
0004457360.tif 000026
【図２６】
0004457360.tif 000027
【図２７】
0004457360.tif 000028
【図２８】
0004457360.tif 000029
【図２９】
0004457360.tif 000030
【図３０】
0004457360.tif 000031
【図３１】
0004457360.tif 000032
【図３２】
0004457360.tif 000033
【図３３】
0004457360.tif 000034
【図３４】
0004457360.tif 000035
【図３５】
0004457360.tif 000036
【図３６】
0004457360.tif 000037
【図３７】
0004457360.tif 000038
【図３８】
0004457360.tif 000039
【図３９】
0004457360.tif 000040
【図４０】
0004457360.tif 000041
【図４１】
0004457360.tif 000042
【図４２】
0004457360.tif 000043
【図４３】
0004457360.tif 000044
【図４４】
0004457360.tif 000045
【図４５】
0004457360.tif 000046
【図４６】
0004457360.tif 000047
【図４７】
0004457360.tif 000048
【図４８】
0004457360.tif 000049
【図４９】
0004457360.tif 000050
【図５０】
0004457360.tif 000051
【図５１】
0004457360.tif 000052
【図５２】
0004457360.tif 000053
【図５３】
0004457360.tif 000054
【図５４】
0004457360.tif 000055
【図５５】
0004457360.tif 000056
【図５６】
0004457360.tif 000057